(57)【特許請求の範囲】
【請求項１】
画像または映像の情報である映像情報と、複製禁止、１回複製許可および複製許可のうち何れか１つを表す第１識別情報と、少なくとも複製禁止および１回複製許可のうち何れか１つを表す第２識別情報とを含む記録再生情報をデジタル信号として記録媒体に記録する記録装置と、前記記録媒体に記録された記録再生情報を再生するために、この記録再生情報を記録媒体から読み出し、外部に出力する再生装置とを備えた記録再生システムであって、
前記記録装置は、
前記記録再生情報を入力する入力手段と、
前記入力手段により入力された記録再生情報内に含まれている第１識別情報が複製禁止を表しているか１回複製許可を表しているか複製許可を表しているかを判定する第１記録判定手段と、
前記入力手段により入力された記録再生情報内に含まれている第２識別情報が複製禁止を表しているか１回複製許可を表しているかを判定する第２記録判定手段と、
前記第１記録判定手段および前記第２記録判定手段の判定結果に基づいて、前記入力手段により入力された記録再生情報の前記記録媒体への記録を許可するか禁止するかを制御する記録制御手段と
前記記録制御手段による制御に従って、前記入力手段により入力された記録再生情報を前記記録媒体に記録する記録手段と、
前記第１記録判定手段および前記第２記録判定手段の判定結果に基づいて、前記入力手段により入力された記録再生情報を暗号化するか否かを制御する暗号化制御手段と、
前記暗号化制御手段による制御に従って、前記入力手段により入力された記録再生情報を前記記録媒体に記録する際に、この記録再生情報を暗号化する暗号化手段とを備え、
前記再生装置は、
前記記録再生情報が記録された前記記録媒体からこの記録再生情報を読み出す読出手段と、
前記読出手段により読み出された記録再生情報内に含まれている第１識別情報が複製禁止を表しているか１回複製許可を表しているか複製許可を表しているかを判定する第１再生判定手段と、
前記読出手段により読み出された記録再生情報が前記記録装置によって暗号化されている否かを判定する第２再生判定手段と、
前記第１再生判定手段および前記第２再生判定手段の判定結果に基づいて、前記読出手段により読み出された記録再生情報の外部への出力を許可するか禁止するかを制御する出力制御手段と、
前記出力制御手段による制御に従って、前記読出手段により読み出された記録再生情報を外部に出力する出力手段と、
前記第２再生判定手段の判定結果に基づいて、前記読出手段により読み出された記録再生情報を復号化する否かを制御する復号化制御手段と、
前記復号化制御手段による制御に従って、前記読出手段により読み出された記録再生情報を外部に出力する際に、この記録再生情報を復号化する復号化手段と、
前記第１再生判定手段および前記第２再生判定手段の判定結果に基づいて、前記読出手段により読み出された記録再生情報に含まれる第２識別情報を複製禁止に変更するか否かを制御する変更制御手段と、
前記変更制御手段による制御に従って、前記読出手段により読み出された記録再生情報を外部に出力する際に、この記録再生情報に含まれる第２識別情報を複製禁止に変更する変更手段とを備えた記録再生システム。
【請求項２】
前記出力制御手段は、前記第１識別情報が１回複製許可を表しておりかつ前記記録再生情報が暗号化されているとき、または、前記第１識別情報が複製許可を表しているときには前記記録再生情報の外部への出力を許可するように前記出力手段を制御し、前記第１識別情報が１回複製許可を表しておりかつ前記記録再生情報が暗号化されていないときには前記記録再生情報の外部への出力を禁止するように前記出力手段を制御する請求項１に記載の記録再生システム。
【請求項３】
前記変更制御手段は、前記第１識別情報が１回複製許可を表しておりかつ前記記録再生情報が暗号化されているとき、前記記録再生情報に含まれる第２識別情報を複製禁止に変更するように前記変更手段を制御する請求項１または２に記載の記録再生システム。
【請求項４】
前記出力制御手段は、前記第１識別情報が複製禁止を表しておりかつ前記記録再生情報が暗号化されているとき、前記第１識別情報が１回複製許可を表しておりかつ前記記録再生情報が暗号されていないとき、または、前記第１識別情報が複製許可を表しておりかつ前記記録再生情報が暗号化されているときには前記記録再生情報の外部への出力を禁止するように前記出力手段を制御する請求項１ないし３のいずれかに記載の記録再生システム。
【請求項５】
前記記録制御手段は、前記第１識別情報が複製禁止を表しているとき、または、前記第１識別情報が１回複製許可を表しておりかつ前記第２識別情報が複製禁止を表しているときには前記記録再生情報の前記記録媒体への記録を禁止するように前記記録手段を制御し、前記第１識別情報が１回複製許可を表しておりかつ前記第２識別情報が１回複製許可を表しているとき、または、前記第１識別情報が複製許可を表しているときには前記記録再生情報の前記記録媒体への記録を許可するように前記記録手段を制御する請求項１ないし４のいずれかに記載の記録再生システム。
【請求項６】
前記暗号化制御手段は、前記第１識別情報が１回複製許可を表しておりかつ前記第２識別情報が１回複製許可を表しているとき、前記記録再生情報を暗号化するように前記暗号化手段を制御する請求項１ないし５のいずれかに記載の記録再生システム。
【請求項７】
前記再生装置は、前記出力手段により出力された記録再生情報をデジタル−アナログ変換するデジタル−アナログ変換手段と、
前記デジタル−アナログ変換手段によりデジタル−アナログ変換されたアナログ信号の記録再生情報を外部に出力するアナログ出力部とをさらに備えた請求項１ないし６のいずれかに記載の記録再生システム。
【請求項８】
前記変更制御手段は、前記アナログ信号の記録再生情報を前記アナログ出力部から外部に出力するときのみ、前記第１再生判定手段および前記第２再生判定手段の判定結果に基づいて、前記読出手段により読み出された記録再生情報に含まれる第２識別情報を複製禁止に変更するか否かを制御するものである請求項７に記載の記録再生システム。
【請求項９】
前記再生装置は、前記出力手段により出力された記録再生情報をデジタルの状態のまま外部に出力するデジタル出力部と、
前記デジタル出力部に接続された外部装置が前記記録再生情報の出力を許可すべき認定装置であるか否かを判定する接続先判定手段と、
前記第１再生判定手段および前記接続先判定手段の判定結果に基づいて、前記第１識別情報が複製禁止を表しておりかつ前記デジタル出力部に接続された外部装置が前記認定装置でないとき、または、前記第１識別情報が１回複製許可を表しておりかつ前記デジタル出力部に接続された外部装置が前記認定装置でないときには、前記デジタル出力部に接続された外部装置に対する前記記録再生情報の出力を禁止するデジタル出力制御手段とをさらに備えた請求項１ないし８のいずれかに記載の記録再生システム。
【請求項１０】
前記記録再生情報は、複製禁止、１回複製許可および複製許可のうち何れか１つを表す第３識別情報をさらに含み、
前記記録装置は、前記記録再生情報内に含まれている前記第３識別情報が複製禁止を表しているか１回複製許可を表しているか複製許可を表しているかを判定する第３記録判定手段をさらに備え、
前記記録制御手段は、前記第１記録判定手段、前記第２記録判定手段および前記第３記録判定手段の判定結果に基づいて、前記入力手段により入力された記録再生情報の前記記録媒体への記録を許可するか禁止するかを制御する請求項１ないし９のいずれかに記載の記録再生システム。
【請求項１１】
前記再生装置は、前記記録再生情報内に含まれている前記第３識別情報が複製禁止を表しているか１回複製許可を表しているか複製許可を表しているかを判定する第３再生判定手段をさらに備え、
前記出力制御手段は、前記第１再生判定手段、前記第２再生判定手段および前記第３再生判定手段の判定結果に基づいて、前記読出手段により読み出された記録再生情報の外部への出力を許可するか禁止するかを制御する請求項１０に記載の記録再生システム。
【請求項１２】
情報発信源から送信される前記記録再生情報を受信し、受信した記録再生情報を記録装置に出力する受信装置をさらに備え、
前記受信装置は、
前記記録装置を接続し、受信した記録再生情報をデジタルの状態のまま記録装置に出力するための受信情報出力部と、
前記受信した記録再生情報内に含まれている第１識別情報が複製禁止を表しているか１回複製許可を表しているか複製許可を表しているかを判定する情報判定手段と、
前記受信情報出力部に接続した記録装置が前記記録再生情報の出力を許可すべき認定装置であるか否かを判定する記録装置判定手段と、
前記情報判定手段および前記記録装置判定手段の判定結果に基づいて、前記第１識別情報が１回複製許可を表しておりかつ前記受信情報出力部に接続された記録装置が前記認定装置であるときには、前記受信情報出力部に接続された記録装置に対する前記記録再生情報の出力を許可する受信情報出力制御手段とを備えたものである請求項１ないし１１のいずれかに記載の記録再生システム。
【請求項１３】
第１識別情報は、互いに異なる２通りの状態により複製禁止と１回複製許可とをそれぞれ表し、当該第１識別情報が前記記録再生情報内に存在しないときに、複製許可を表すものであり、
前記第１記録判定手段は、前記入力手段により入力された記録再生情報内に前記第１識別情報が存在しないときには、前記第１識別情報が複製許可を表しているものと判定し、
前記第１再生判定手段は、前記読出手段により読み出された記録再生情報内に前記第１識別情報が存在しないときには、前記第１識別情報が複製許可を表しているものと判定する請求項１ないし１２のいずれかに記載の記録再生システム。
【請求項１４】
第２識別情報は、当該第２識別情報が記録再生情報内に存在するときには１回複製許可を表し、存在しないときには複製禁止を表すものである請求項１ないし１３のいずれかに記載の記録再生システム。
【請求項１５】
前記第１識別情報は、前記画像または映像内に埋め込まれた電子透かし情報である請求項１ないし１４のいずれかに記載の記録再生システム。
【請求項１６】
前記第２識別情報は、前記画像または映像内に埋め込まれ、かつ、前記画像または映像の表示範囲の周縁部近傍に配置された情報である請求項１ないし１５のいずれかに記載の記録再生システム。
【請求項１７】
前記第３識別情報は、前記記録再生情報の複製世代を管理するＣＧＭＳ(Copy Generation Management System)情報である請求項１ないし１６のいずれかに記載の記録再生システム。
【請求項１８】
画像または映像の情報である映像情報と、複製禁止、１回複製許可および複製許可のうち何れか１つを表す第１識別情報と、少なくとも複製禁止および１回複製許可のうち何れか１つを表す第２識別情報とを含む記録再生情報がデジタル信号として記録された記録媒体から、この記録再生情報を読み出し、外部に出力する再生装置であって、
前記記録再生情報が記録された前記記録媒体からこの記録再生情報を読み出す読出手段と、
前記読出手段により読み出された記録再生情報内に含まれている第１識別情報が複製禁止を表しているか１回複製許可を表しているか複製許可を表しているかを判定する第１再生判定手段と、
前記読出手段により読み出された記録再生情報が暗号化されている否かを判定する第２再生判定手段と、
前記第１再生判定手段および前記第２再生判定手段の判定結果に基づいて、前記読出手段により読み出された記録再生情報の外部への出力を許可するか禁止するかを制御する出力制御手段と、
前記出力制御手段による制御に従って、前記読出手段により読み出された記録再生情報を外部に出力する出力手段と、
前記第２再生判定手段の判定結果に基づいて、前記読出手段により読み出された記録再生情報を復号化する否かを制御する復号化制御手段と、
前記復号化制御手段による制御に従って、前記読出手段により読み出された記録再生情報を外部に出力する際に、この記録再生情報を復号化する復号化手段と、
前記第１再生判定手段および前記第２再生判定手段の判定結果に基づいて、前記読出手段により読み出された記録再生情報に含まれる第２識別情報を複製禁止に変更するか否かを制御する変更制御手段と、
前記変更制御手段による制御に従って、前記読出手段により読み出された記録再生情報を外部に出力する際に、この記録再生情報に含まれる第２識別情報を複製禁止に変更する変更手段とを備えた再生装置。
【請求項１９】
前記出力手段により出力された記録再生情報をデジタル−アナログ変換するデジタル−アナログ変換手段と、
前記デジタル−アナログ変換手段によりデジタル−アナログ変換されたアナログ信号の記録再生情報を外部に出力するアナログ出力部とをさらに備えた請求項１８に記載の再生装置。
【請求項２０】
前記変更制御手段は、前記アナログ信号の記録再生情報を前記アナログ出力部から外部に出力するときのみ、前記第１再生判定手段および前記第２再生判定手段の判定結果に基づいて、前記読出手段により読み出された記録再生情報に含まれる第２識別情報を複製禁止に変更するか否かを制御するものである請求項１９に記載の再生装置。
【請求項２１】
前記出力手段により出力された記録再生情報をデジタルの状態のまま外部に出力するデジタル出力部と、
前記デジタル出力部に接続された外部装置が前記記録再生情報の出力を許可すべき認定装置であるか否かを判定する接続先判定手段と、
前記第１再生判定手段および前記接続先判定手段の判定結果に基づいて、前記第１識別情報が複製禁止を表しておりかつ前記デジタル出力部に接続された外部装置が前記認定装置でないとき、または、前記第１識別情報が１回複製許可を表しておりかつ前記デジタル出力部に接続された外部装置が前記認定装置でないときには、前記デジタル出力部に接続された外部装置に対する前記記録再生情報の出力を禁止するデジタル出力制御手段とをさらに備えた請求項１８ないし２０のいずれかに記載の再生装置。
【発明の詳細な説明】
【０００１】
【発明の属する技術分野】
本発明は、ＤＶＤ等の記録媒体に映像情報を記録し、再生する再生記録システムに関し、特に、映画等の映像情報の複製を制限する複製制限機能を備えた記録再生システム、および、当該記録再生システムに用いて好適な記録装置および再生装置に関する。
【０００２】
【従来の技術】
ＤＶＤは、膨大な記録容量を有する記録媒体であり、例えば、映画一本分に相当するデジタル映像情報を記録することができる。このため、ＤＶＤは、ＶＨＳ方式のビデオカセットに代わる映像記録媒体として普及し始めている。また、ＤＶＤには、記録または書換が不可能なＤＶＤと、記録または書換が可能なＤＶＤとが存在する。記録または書換が可能なＤＶＤを用いれば、ＤＶＤに記録された映画をデジタルのまま複製することが可能となる。
【０００３】
また、このようなＤＶＤの普及に伴い、映画等を放送局から視聴者に向けてデジタルのまま送信するシステムが開発されている。このようなシステムが実現すれば、視聴者は高品質な映画を自宅で手軽に楽しむことができるだけでなく、放送局から送信された映画をデジタルのままＤＶＤに記録することにより、映画の複製物を容易に作ることが可能となる。
【０００４】
一方、映画等を無断で複製する行為は著作権法等により制限されている。特に、映画等をデジタルのまま複製した場合には、映像の品質劣化が生じない。このため、ＤＶＤの普及を促進するためにも、ＤＶＤを用いたデジタル映像情報の複製を厳しく制限する必要がある。
【０００５】
デジタル映像情報の記録または複製を制限するために、様々な方法が提案されている。例えば、デジタル映像情報をＤＶＤに記録するとき、このデジタル映像情報内に、複製を制限するための識別情報を埋め込む方法（ＣＧＭＳ：Copy Generation Management System）が提案されている。この識別情報は、▲１▼複製を禁止する（複製禁止）、▲２▼１世代のみ複製を許可する（１世代複製許可）、▲３▼無制限に複製を許可する（複製許可）のうち何れか１つを表す。このような識別情報が埋め込まれたデジタル映像情報を他のＤＶＤに複製するとき、記録装置は、デジタル映像情報内から識別情報を読み出し、もしこの識別情報が複製禁止を表している場合には、このデジタル映像情報の記録を行わない。
【０００６】
また、これと同様の働きを有する識別情報を、画像または映像の表示範囲内に電子透かしとして埋め込むことによって、画像または映像の複製を制限する方法も提案されている。
【０００７】
さらに、画像または映像を記録または再生するときに、この画像または映像にスクランブルをかける方法も、デジタル映像情報の記録または複製の制限に貢献する。
【０００８】
【発明が解決しようとする課題】
ところで、上述した識別情報を用いてデジタル映像情報の複製を制限するためには、識別情報の配置、判定方法等を定めた所定の規則に準拠し、識別情報を認識する機能を備えた記録装置または再生装置（以下、これらをそれぞれ「準拠記録装置」、「準拠再生装置」という）が必要である。
【０００９】
もし、識別情報を認識する機能を備えていない他の記録装置または再生装置（以下、これらをそれぞれ「非準拠記録装置」、「非準拠再生装置」という）を用いた場合には、識別情報が無視されてしまい、複製禁止のデジタル映像情報であるにも拘わらず複製が行われてしまう場合がある。そして、準拠再生装置が、非準拠記録装置によって複製されたデジタル映像情報の再生を許してしまうと、複製禁止のデジタル映像情報の複製をいわば黙認することとなる。即ち、非準拠記録装置によって複製禁止のデジタル映像情報を複製した者は、複製禁止のデジタル映像情報を複製したにも拘わらず、制裁を全く受けず、不便さを全く感じない。このような状態を放置すると、準拠記録装置および準拠記録装置の普及を促進させることができず、デジタル映像情報の複製を制限することができないという問題がある。
【００１０】
また、１回複製許可のデジタル映像情報は、準拠記録装置によって１回のみ記録することが許される。もし、この準拠記録装置によって記録されたデジタル映像情報が、非準拠再生装置によって再生されてしまうと、この非準拠再生装置を起点として、当該デジタル映像情報の無制限な複製を許してしまうことになる。
【００１１】
さらに、一般に、再生装置は、ＤＶＤに記録されたデジタル映像情報をアナログに変換して外部に出力することができる。また、記録装置の中には、画像または映像等のアナログ映像情報をデジタルに変換してＤＶＤに記録することができるものがある。従って、デジタル映像情報の複製を効果的に制限するためには、デジタル映像情報を再生装置から記録装置へデジタル伝送することによって実現される複製、即ち、デジタル伝送による複製を制限するだけでは不十分である。即ち、デジタル映像情報を再生装置によってアナログ映像情報に変換し、そのアナログ映像情報を記録装置にアナログ伝送することによって実現される複製、即ち、アナログ伝送による複製をも制限する必要がある。
【００１２】
本発明は上述した問題に鑑みなされたものであり、記録再生情報の複製制限機能を備えていない他の記録装置または再生装置によって行われる記録再生情報の無制限な複製を減少させることができると共に、記録再生情報の複製を効果的に制限することができる記録再生システム、記録装置および再生装置を提供することを目的とする。
【００１３】
【課題を解決するための手段】
上記課題を解決するために、請求項１に記載の記録再生システムは、画像または映像の情報である映像情報と、複製禁止、１回複製許可および複製許可のうち何れか１つを表す第１識別情報と、少なくとも複製禁止および１回複製許可のうち何れか１つを表す第２識別情報とを含む記録再生情報をデジタル信号として記録媒体に記録する記録装置と、前記記録媒体に記録された記録再生情報を再生するために、この記録再生情報を記録媒体から読み出し、外部に出力する再生装置とを備えている。
【００１４】
さらに、前記記録装置は、前記記録再生情報を入力する入力手段と、前記入力手段により入力された記録再生情報内に含まれている第１識別情報が複製禁止を表しているか１回複製許可を表しているか複製許可を表しているかを判定する第１記録判定手段と、前記入力手段により入力された記録再生情報内に含まれている第２識別情報が複製禁止を表しているか１回複製許可を表しているかを判定する第２記録判定手段と、前記第１記録判定手段および前記第２記録判定手段の判定結果に基づいて、前記入力手段により入力された記録再生情報の前記記録媒体への記録を許可するか禁止するかを制御する記録制御手段と、前記記録制御手段による制御に従って、前記入力手段により入力された記録再生情報を前記記録媒体に記録する記録手段と、前記第１記録判定手段および前記第２記録判定手段の判定結果に基づいて、前記入力手段により入力された記録再生情報を暗号化するか否かを制御する暗号化制御手段と、前記暗号化制御手段による制御に従って、前記入力手段により入力された記録再生情報を前記記録媒体に記録する際に、この記録再生情報を暗号化する暗号化手段とを備えている。
【００１５】
さらに、前記再生装置は、前記記録再生情報が記録された前記記録媒体からこの記録再生情報を読み出す読出手段と、前記読出手段により読み出された記録再生情報内に含まれている第１識別情報が複製禁止を表しているか１回複製許可を表しているか複製許可を表しているかを判定する第１再生判定手段と、前記読出手段により読み出された記録再生情報が暗号化されている否かを判定する第２再生判定手段と、前記第１再生判定手段および前記第２再生判定手段の判定結果に基づいて、前記読出手段により読み出された記録再生情報の外部への出力を許可するか禁止するかを制御する出力制御手段と、前記出力制御手段による制御に従って、前記読出手段により読み出された記録再生情報を外部に出力する出力手段と、前記第２再生判定手段の判定結果に基づいて、前記読出手段により読み出された記録再生情報を復号化する否かを制御する復号化制御手段と、前記復号化制御手段による制御に従って、前記読出手段により読み出された記録再生情報を外部に出力する際に、この記録再生情報を復号化する復号化手段と、前記第１再生判定手段および前記第２再生判定手段の判定結果に基づいて、前記読出手段により読み出された記録再生情報に含まれる第２識別情報を複製禁止に変更するか否かを制御する変更制御手段と、前記変更制御手段による制御に従って、前記読出手段により読み出された記録再生情報を外部に出力する際に、この記録再生情報に含まれる第２識別情報を変更する変更手段とを備えている。
【００１６】
上述したように、第１識別情報は、複製禁止、１回複製許可および複製許可のうち何れか１つを表し、第２識別情報は、少なくとも複製禁止および１回複製許可のうち何れか１つを表す。複製禁止とは、記録再生情報の記録媒体への記録を一切禁止することを意味する。１回複製許可とは、記録再生情報の記録媒体への記録を１回のみ許可することを意味し、いわゆる１世代の複製物の作成は許可するが、２世代以上の複製物の作成は禁止することを意味する。複製許可とは、記録再生情報の記録媒体への記録を制限しないことを意味し、１世代はもちろん２世代以上の複製物の作成を許可することを意味する。
【００１７】
また、第１識別情報は、互いに異なる３通りの状態により複製禁止と１回複製許可と複製許可とをそれぞれ表すものであってもよい。また、第１識別情報は、互いに異なる２通りの状態により複製禁止と１回複製許可とをそれぞれ表し、この第１識別情報が記録再生情報内に存在しないことによって、複製許可を表すものであってもよい。また、第２識別情報は、互いに異なる２通りの状態により複製禁止及び１回複製許可を表すものであってもよい。さらに、第２識別情報が記録再生情報内に存在することによって１回複製許可を表し、存在しないことによって複製禁止を表すものであってもよい。
【００１８】
さらにまた、第１識別情報は、記録装置によっても再生装置によっても変更されない。これに対し、第２識別情報は、既に１回記録媒体に記録された１回複製許可の記録再生情報を再生装置によって再生するときに、再生装置によって１回複製許可から複製禁止に変更される。
【００１９】
さて、記録装置の入力手段は、記録再生情報を外部から記録装置内に入力する。第１記録判定手段は、この記録再生情報に含まれている第１識別情報が、複製禁止を表しているか１回複製許可を表しているか複製許可を表しているかを判定する。第２記録判定手段は、入力された記録再生情報に含まれている第２識別情報が、複製禁止を表しているか１回複製許可を表しているかを判定する。これら第１記録判定手段および第２記録判定手段の判定結果を用いることにより、記録装置は、記録再生情報に関し、次の４通りの判定を行うことができる。
【００２０】
(A)複製禁止
(B)１回複製許可
(C)１回複製許可のものが１回複製されてこれ以上複製禁止
(D)複製許可
さらに、記録装置の記録制御手段は、第１記録判定手段および第２記録判定手段の判定結果に基づいて、記録再生情報の記録媒体への記録を許可するか禁止するかを判定し、その判定に従って記録手段を制御する。記録手段は、記録制御手段による制御に従って、記録再生情報を記録媒体に記録する。
【００２１】
さらに、記録装置の暗号化制御手段は、第１記録判定手段および第２記録判定手段の判定結果に基づいて、記録再生情報を暗号化するか否かを判定し、その判定に従って暗号化手段を制御する。暗号手段は、暗号化制御手段による制御に従って、記録再生情報を記録媒体に記録する際に、この記録再生情報を暗号化する。
【００２２】
このような記録制御手段、記録手段、暗号化制御手段および暗号化手段により、記録装置は、上述した(A)〜(D)の４通りの判定に対し、例えば、次のように動作する。
【００２３】
(a)複製禁止の記録再生情報の記録媒体への記録を禁止する。
【００２４】
(b)１回複製許可の記録再生情報を記録媒体に暗号化して記録する。
【００２５】
(c)１回複製許可のものが１回複製されてこれ以上複製禁止となった記録再生情報（以下、これを「これ以上複製禁止の再生記録情報」という）の記録媒体への記録を禁止する。
【００２６】
(d)複製許可の記録再生情報を記録媒体に暗号化せずに記録する。
【００２７】
従って、当該記録再生システムの記録装置によれば、複製禁止およびこれ以上複製禁止の記録再生情報の記録媒体への記録を禁止できるだけでなく、１回複製許可の記録再生情報を記録媒体に暗号化して記録することができる。
【００２８】
次に、再生装置の読出手段は、記録再生情報が記録された記録媒体からこの記録再生情報を読み出す。第１再生判定手段は、この記録再生情報内に含まれている第１識別情報が複製禁止を表しているか１回複製許可を表しているか複製許可を表しているかを判定する。第２再生判定手段は、読み出された記録再生情報が前記記録装置によって暗号化されている否かを判定する。これら第１再生判定手段および第２再生判定手段の判定結果を用いることにより、再生装置は、記録再生情報に関し、例えば、次の４通りの判定を行うことができる。
【００２９】
(E)複製禁止
(F)これ以上複製禁止
(G)複製許可
(H)異常な複製
ここで、再生装置は、１回複製許可のものが暗号化されずに記録媒体に記録されている場合には、「異常な複製」と判定する。このような異常な複製は、当該記録再生システムの動作によって生じ得ないものである。このような異常な複製は、例えば、記録再生情報が不正に複製されたとき、または、記録再生情報が、当該記録再生システムに含まれる前記記録装置以外の他の記録装置、即ち、暗号化手段を備えていない記録装置によって記録または書換可能な記録媒体に記録されたときに生じ得る。
【００３０】
さらに、再生装置の出力制御手段は、第１再生判定手段および第２再生判定手段の判定結果に基づいて、記録再生情報の外部への出力を許可するか禁止するかを判定し、この判定に従って出力手段を制御する。出力手段は、出力制御手段による制御に従って、記録再生情報を外部に出力する。
【００３１】
さらに、再生装置の復号化制御手段は、第２再生判定手段の判定結果に基づいて、記録再生情報を復号化（暗号解除）する否かを判定し、この判定に従って復号化手段を制御する。復号化手段は、復号化制御手段による制御に従って、記録再生情報を外部に出力する際に、この暗号化された記録再生情報を復号化する。
【００３２】
このような出力制御手段、出力手段、復号化制御手段および復号化手段により、再生装置は、上述した(E)〜(H)の４通りの判定に対し、次のように動作する。
【００３３】
(e)複製禁止の記録再生情報を出力する。
【００３４】
(f)これ以上複製禁止となった記録再生情報を復号化して出力する。
【００３５】
(g)複製許可の記録再生情報を出力する。
【００３６】
(h)異常に複製された記録再生情報の出力を禁止する。
【００３７】
従って、この再生装置によれば、異常に複製された記録再生情報の外部への出力を禁止することができる。また、複製禁止、これ以上複製禁止および複製許可の記録再生情報は、視聴者の視聴を許すために、例えば、再生装置から外部モニタ等に出力される。
【００３８】
なお、再生装置の出力側に記録装置が接続された場合、複製禁止またはこれ以上複製禁止の記録再生情報が、再生装置から記録装置へ出力されることとなる。しかしながら、上述したように、当該記録再生システムの記録装置は、複製禁止およびこれ以上複製禁止の記録再生情報を記録しないため、再生装置から記録装置に複製禁止またはこれ以上複製禁止の記録再生情報が出力されても、この記録再生情報が複製されることはない。
【００３９】
さらに、再生装置の変更制御手段は、第１再生判定手段および第２再生判定手段の判定結果に基づいて、記録再生情報に含まれる第２識別情報を複製禁止に変更するか否かを判定し、この判定に従って変更手段を制御する。変更手段は、変更制御手段による制御に従って、記録再生情報を外部に出力する際に、この記録再生情報に含まれる第２識別情報を複製禁止に変更する。
【００４０】
これにより、これ以上複製禁止の記録再生情報（上記判定(F)に相当する記録再生情報）を再生装置から外部に出力する際に、この記録再生情報内に含まれる第２識別情報を１回複製許可から複製禁止に変更することができる。この結果、この再生装置に、当該記録再生システムに含まれる前記記録装置を接続し、これ以上複製禁止の記録再生情報をこの記録装置を用いて複製しようとしても、この行為は阻止される。なぜなら、記録装置の第２記録判定手段が、複製禁止に変更された第２識別情報を参照して、この記録再生情報がこれ以上複製禁止であることを認識し（上記判定(C)）、記録制御手段が、この記録再生情報の記録媒体への記録を禁止するからである。
【００４１】
請求項２に記載の記録再生システムにおいて、出力制御手段は、第１識別情報が１回複製許可を表しておりかつ記録再生情報が暗号化されているとき、または、第１識別情報が複製許可を表しているときには記録再生情報の外部への出力を許可するように出力手段を制御し、第１識別情報が１回複製許可を表しておりかつ記録再生情報が暗号化されていないときには記録再生情報の外部への出力を禁止するように出力手段を制御する。
【００４２】
即ち、第１識別情報が１回複製許可を表しておりかつ記録再生情報が暗号化されているときは、記録再生情報がこれ以上複製禁止のときである（上記判定(F)）。さらに、第１識別情報が複製許可を表しているときは、記録再生情報が複製許可のときである（上記判定(G)）。このような場合、出力制御手段は、記録再生情報の外部への出力を許可するように出力手段を制御する。従って、記録再生情報は外部に出力される。
【００４３】
一方、第１識別情報が１回複製許可を表しておりかつ記録再生情報が暗号化されていないときは、記録再生情報が異常に複製されたときである（上記判定(H)）。このような場合、出力制御手段は、記録再生情報の外部への出力を禁止するように出力手段を制御する。従って、記録再生情報は外部に出力されない。
【００４４】
請求項３に記載の記録再生システムにおいて、変更制御手段は、第１識別情報が１回複製許可を表しておりかつ記録再生情報が暗号化されているとき、記録再生情報に含まれる第２識別情報を複製禁止に変更するように変更手段を制御する。即ち、第１識別情報が１回複製許可を表しておりかつ記録再生情報が暗号化されているときは、記録再生情報がこれ以上複製禁止のときである（上記判定(F)）。このような場合、変更制御手段は、記録再生情報に含まれる第２識別情報を複製禁止に変更するように変更手段を制御する。従って、第２識別情報は１回複製許可から複製禁止に変更される。
【００４５】
請求項４に記載の記録再生システムにおいて、出力制御手段は、第１識別情報が複製禁止を表しておりかつ記録再生情報が暗号化されているとき、第１識別情報が１回複製許可を表しておりかつ記録再生情報が暗号されていないとき、または、第１識別情報が複製許可を表しておりかつ記録再生情報が暗号化されているときには、記録再生情報の外部への出力を禁止するように出力手段を制御する。即ち、当該記録再生システムの記録装置は、第１識別情報が１回複製許可のときにのみ、記録再生情報を記録媒体に暗号化して記録する。従って、第１識別情報が複製禁止を表しているにも拘わらず記録再生情報が暗号化されているとき、第１識別情報が１回複製許可を表しているにも拘わらず記録再生情報が暗号されていないとき、または、第１識別情報が複製許可を表しているにも拘わらず記録再生情報が暗号化されているときは、いずれも不正な複製や記録再生情報の改竄が行われたと判断することができる。従って、このような場合、出力制御手段は、記録再生情報の外部への出力を禁止するように出力手段を制御する。これにより、不正に複製された記録再生情報の出力および再生を防止することができる。
【００５２】
請求項５に記載の記録再生システムにおいて、記録制御手段は、第１識別情報が複製禁止を表しているとき、または、第１識別情報が１回複製許可を表しておりかつ第２識別情報が複製禁止を表しているときには記録再生情報の記録媒体への記録を禁止するように記録手段を制御し、第１識別情報が１回複製許可を表しておりかつ第２識別情報が１回複製許可を表しているとき、または、第１識別情報が複製許可を表しているときには記録再生情報の記録媒体への記録を許可するように記録手段を制御する。
【００５３】
即ち、第１識別情報が複製禁止を表しているときは、記録再生情報が複製禁止のときであり（上記判定(A)）、また、第１識別情報が１回複製許可を表しておりかつ第２識別情報が複製禁止を表しているときは、記録再生情報がこれ以上複製禁止のときである（上記判定(C)）。このような場合、記録制御手段は、記録再生情報の記録媒体への記録を禁止するように記録手段を制御する。従って、記録再生情報は記録媒体に記録されない。
【００５４】
一方、第１識別情報が１回複製許可を表しておりかつ第２識別情報が１回複製許可を表しているときは、記録再生情報が１回複製許可のときである（上記判定(B)）。また、第１識別情報が複製許可を表しているときは、記録再生情報が複製許可のときである（上記判定(D)）。このような場合、記録再生情報の記録媒体への記録を許可するように記録手段を制御する。従って、記録再生情報は記録媒体に記録される。
【００５５】
請求項６に記載の記録再生システムにおいて、暗号化制御手段は、第１識別情報が１回複製許可を表しておりかつ第２識別情報が１回複製許可を表しているとき、記録再生情報を暗号化するように暗号化手段を制御する。即ち、第１識別情報が１回複製許可を表しておりかつ第２識別情報が１回複製許可を表しているときは、記録再生情報が１回複製許可のときである（上記判定(Ｂ)）。このような場合、暗号化制御手段は、記録再生情報を暗号化するように暗号化手段を制御する。従って、記録再生情報は暗号化される。
【００５６】
請求項７に記載の記録再生システムにおいて、再生装置は、出力手段により出力された記録再生情報をデジタル−アナログ変換するデジタル−アナログ変換手段と、デジタル−アナログ変換手段によりデジタル−アナログ変換されたアナログ信号の記録再生情報を外部に出力するアナログ出力部とを備えている。
【００５７】
このように、再生手段は、記録再生情報をアナログ信号として出力することができる。記録再生情報がアナログ信号に変換された後でも、第１識別情報および第２識別情報は、この記録再生情報内に含まるようにすれば、アナログ伝送による記録再生情報の複製を制限することができる。
【００５８】
請求項８に記載の記録再生システムにおいて、変更制御手段は、アナログ信号の記録再生情報をアナログ出力部から外部に出力するときのみ、第１再生判定手段および第２再生判定手段の判定結果に基づいて、読出手段により読み出された記録再生情報に含まれる第２識別情報を複製禁止に変更するか否かを制御するものである。アナログ信号の記録再生情報のみについて、第２識別情報の変更を行うので処理を簡単化させることができる。
【００５９】
請求項９に記載の記録再生装置において、再生装置は、出力手段により出力された記録再生情報をデジタルの状態のまま外部に出力するデジタル出力部と、デジタル出力部に接続された外部装置が記録再生情報の出力を許可すべき認定装置であるか否かを判定する接続先判定手段と、第１再生判定手段および接続先判定手段の判定結果に基づいて、第１識別情報が複製禁止を表しておりかつデジタル出力部に接続された外部装置が認定装置でないとき、または、第１識別情報が１回複製許可を表しておりかつデジタル出力部に接続された外部装置が認定装置でないときには、デジタル出力部に接続された外部装置に対する記録再生情報の出力を禁止するデジタル出力制御手段とを備えている。
【００６０】
これにより、再生装置は、複製禁止の記録再生情報（上記判定(E)）、または、１回記録媒体に記録された１回複製許可の記録再生情報（これ以上複製禁止の記録再生情報、上記判定(F)）を、認定装置でない外部装置に向けてデジタルの状態のまま出力することを防止できる。
【００６１】
ここで、例えば、記録再生情報を記録する機能を備えていない装置（例えばモニタ）を認定装置とすると、接続先判定手段は、デジタル出力部に接続された外部装置が、記録再生情報を記録する機能を備えていない装置か、記録再生情報を記録する機能を備えた装置（例えば記録装置）かを判別することができる。これにより、複製禁止の記録再生情報、または、１回記録媒体に記録された１回複製許可の記録再生情報（これ以上複製禁止の記録再生情報）が、再生装置から、記録再生情報を記録する機能を備えた装置にデジタルの状態のまま伝送されるのを防止することができる。従って、複製禁止の記録再生情報、または、１回記録媒体に記録された１回複製許可の記録再生情報が、デジタル伝送によって複製されるのを防止することができる。
【００６２】
請求項１０に記載の記録再生システムにおいて、記録再生情報は、複製禁止、１回複製許可および複製許可のうち何れか１つを表す第３識別情報をさらに含み、記録装置は、記録再生情報内に含まれている第３識別情報が複製禁止を表しているか１回複製許可を表しているか複製許可を表しているかを判定する第３記録判定手段をさらに備え、記録制御手段は、第１記録判定手段、第２記録判定手段および第３記録判定手段の判定結果に基づいて、入力手段により入力された記録再生情報の記録媒体への記録を許可するか禁止するかを制御する。
【００６３】
即ち、記録制御手段は、３種類の識別情報を用いて、記録再生情報の記録媒体への記録を許可するか禁止するかを判定し、この判定結果に従って記録手段を制御する。これにより、不正な複製を目的とした記録再生情報の改竄を容易に発見することができ、改竄された記録再生情報の記録媒体への記録を防止することができる。従って、記録再生情報の不正な複製を確実に防止することができる。
【００６４】
請求項１１に記載の記録再生システムにおいて、再生装置は、記録再生情報内に含まれている第３識別情報が複製禁止を表しているか１回複製許可を表しているか複製許可を表しているかを判定する第３再生判定手段をさらに備え、出力制御手段は、第１再生判定手段、第２再生判定手段および第３再生判定手段の判定結果に基づいて、読出手段により読み出された記録再生情報の外部への出力を許可するか禁止するかを制御する。
【００６５】
即ち、出力制御手段は、３種類の識別情報を用いて、記録再生情報の外部への出力を許可するか禁止するかを判定し、この判定結果に従って出力手段を制御する。これにより、不正な複製を目的とした記録再生情報の改竄を容易に発見することができ、改竄された記録再生情報の出力および再生を確実に防止することができる。
【００６６】
請求項１２に記載の記録再生システムは、情報発信源から送信される記録再生情報を受信し、受信した記録再生情報を記録装置に出力する受信装置をさらに備え、受信装置は、記録装置を接続し、受信した記録再生情報をデジタルの状態のまま記録装置に出力するための受信情報出力部と、受信した記録再生情報内に含まれている第１識別情報が複製禁止を表しているか１回複製許可を表しているか複製許可を表しているかを判定する情報判定手段と、受信情報出力部に接続した記録装置が記録再生情報の出力を許可すべき認定装置であるか否かを判定する記録装置判定手段と、情報判定手段および記録装置判定手段の判定結果に基づいて、第１識別情報が１回複製許可を表しておりかつ受信情報出力部に接続された記録装置が認定装置であるときには、受信情報出力部に接続された記録装置に対する記録再生情報の出力を許可する受信情報出力制御手段とを備えている。
【００６７】
例えば、受信装置は情報発信源から送信された記録再生情報を記録装置デジタルの状態のままに出力するものである。さらに、受信装置は、記録再生情報を記録装置に出力するとき、受信した記録再生情報に含まれる第１識別情報の状態と、当該受信装置に接続されている記録装置が認定装置であるか否かに基づいて、受信した記録再生情報を記録装置に出力するか否かを判定する。そして、第１識別情報が１回複製許可を表しておりかつ受信情報出力部に接続された記録装置が認定装置でないときには、受信情報出力部に接続された記録装置に対する記録再生情報の出力を禁止する。
【００６８】
これにより、複製禁止または１回複製許可の記録再生情報がデジタル伝送により記録装置に出力され、複製されるのを防止できる。特に、認定装置を当該記録再生システムの記録装置に設定すれば、当該記録再生システムの記録装置以外の記録装置に複製禁止または１回複製許可の記録再生情報がデジタル伝送されるのを防止でき、複製制限機能を有していない記録装置による複製を防止することできる。
【００６９】
請求項１３に記載の記録再生システムのように、第１識別情報を、画像または映像内に埋め込まれた電子透かしとすれば、記録再生情報の複製を効果的に制限することができる。
【００７０】
請求項１６に記載の記録再生システムのように、第２識別情報を、画像または映像内に埋め込まれ、前記画像または映像の表示範囲の周縁部近傍に配置された情報とすれば、記録再生情報の複製を効果的に制限することができる。
【００７１】
請求項１７に記載の記録再生システムのように、第３識別情報を、記録再生情報の複製世代を管理するＣＧＭＳ(Copy Generation Management System)情報とすれば、記録再生情報の複製を効果的に制限することができる。
【００７２】
また、請求項１８に記載の記録装置は、上述した請求項１または４に記載の記録再生システムに含まれる記録装置とほぼ同様の構成を有する。請求項１８に記載の再生装置は、上述した請求項１に記載の記録再生システムに含まれる再生装置とほぼ同様の構成を有する。請求項１９、２０または２１に記載の再生装置はそれぞれ、上述した請求項７、８または９に記載の記録再生システムに含まれる再生装置とほぼ同様の構成を有する。
【００７３】
【発明の実施の形態】
以下、本発明の実施の形態を図１ないし図１２に従って説明する。本実施形態では、本発明の記録再生システムによって、デジタル衛星放送システムから送信されたデジタル映像情報、または、予めＤＶＤに記録されたデジタル映像情報を記録、再生または複製する場合を例に挙げて説明する。
【００７４】
I．記録再生システム
図１は、情報発信源としてのデジタル衛星放送システムおよび本発明の実施形態による記録再生システム等を示している。
【００７５】
図１に示すように、記録再生システム１００は、記録装置１０、再生装置５０および衛星放送受信機３０１を備えている。記録装置１０は、外部から入力されるデジタル映像情報ＤＰまたはアナログ映像情報ＡＰを、記録可能または書換可能な記録媒体であるＤＶＤ１に記録する装置である。即ち、記録装置１０は、デジタル映像情報ＤＰを入力するためのデジタル入力端子とアナログ映像情報ＡＰを入力するためのアナログ入力端子を備えており、デジタル入力端子から入力されるデジタル映像情報ＤＰをデジタルの状態のままＤＶＤ１に記録し、アナログ入力端子から入力されるアナログ映像情報ＡＰをデジタル映像情報ＤＰに変換してＤＶＤ１に記録する。
【００７６】
再生装置５０は、記録装置１０によってＤＶＤ１に記録されたデジタル映像情報ＤＰを読み出し、このデジタル映像情報ＤＰをデジタルの状態のまま、または、このデジタル映像情報ＤＰをアナログ映像情報ＡＰに変換して外部に出力する装置である。再生装置５０は、デジタル映像情報ＤＰを出力するためのデジタル出力端子とアナログ映像情報ＡＰを出力するためのアナログ出力端子を備えている。例えば、ＣＲＴ(Cathode Ray Tube）またはＰＤＰ（Plasma Display Panel）等のアナログモニタ装置（図示せず）を再生装置５０のアナログ出力端子に接続すれば、ＤＶＤ１にデジタル映像情報ＤＰとして記録された画像または映像の再生が可能となる。また、図１に示すように、再生装置５０のデジタル出力端子を記録装置１０のデジタル入力端子に接続すれば、ＤＶＤ１に記録されたデジタル映像情報ＤＰをデジタルの状態のまま再生装置５０から記録装置１０に出力することができ、デジタル映像情報ＤＰを記録装置１０によって他のＤＶＤに記録することが可能となる。このように、再生装置５０のデジタル出力端子と記録装置１０のデジタル入力端子とを接続すれば、デジタル映像情報ＤＰのデジタル伝送による複製が可能となる。さらに、図１に示すように、再生装置５０のアナログ出力端子と記録装置１０のアナログ入力端子とを接続すれば、デジタル映像情報ＤＰのアナログ伝送による複製が可能となる。
【００７７】
なお、図１中の衛星放送システム２００は、例えば、放送局に設けられており、映画、コンサート、テレビ番組等のデジタル衛星放送を行うシステムである。また、衛星放送受信機３０１は、衛星放送システム２００によるデジタル衛星放送を受信する装置であり、ＩＲＤ（Integrated Receiver Decoder）または、ＳＴＢ（Set Top Box）によって構成されている。即ち、衛星放送受信機３０１は、放送局から送信された電波を受信し、受信した電波に含まれるデジタル映像情報ＤＰを出力する。さらに、衛星放送受信機３０１は、受信した電波に含まれるデジタル映像情報ＤＰをアナログ映像情報ＡＰに変換して出力することもできる。
【００７８】
ここで、例えば、ＭＰＥＧ２で圧縮されたデジタル映像情報ＤＰは、デジタル映像データ、各種ヘッダおよび付加情報等を含むデジタルデータである。デジタル映像データは、映画、コンサート、テレビ番組等を構成する画像または映像をデジタル化したデータである。なお、デジタル映像情報ＤＰのデータフォーマットは、デジタル映像情報ＤＰがＤＶＤ１に記録されているときと、デジタル映像情報ＤＰが各装置間で伝送されるときとで異なる。また、アナログ映像情報ＡＰは、デジタル映像情報ＤＰに対応するアナログビデオ信号である。
【００７９】
また、デジタル映像情報ＤＰおよびアナログ映像情報ＡＰは、複製禁止（Never Copy）、１回複製許可（One Copy or One Generation Copy）、複製許可（Copy Free）のうち何れか１つの複製制限がかけられている。複製禁止とは、デジタル映像情報ＤＰまたはアナログ映像情報ＡＰの記録媒体への記録を一切禁止することを意味する。１回複製許可とは、デジタル映像情報ＤＰまたはアナログ映像情報ＡＰの記録媒体への記録を１回のみ許可することを意味し、いわゆる１世代の複製物の作成は許可するが、２世代以上の複製物の作成は禁止することを意味する。複製許可とは、デジタル映像情報ＤＰまたはアナログ映像情報ＡＰの記録媒体への記録を制限しないことを意味し、１世代はもちろん２世代以上の複製物の作成を許可することを意味する。
【００８０】
例えば、図１に示すように、衛星放送システム２００によって、映画をデジタル衛星放送する場合、衛星放送システム２００から送信され、衛星放送受信機３０１に受信されたデジタル映像情報ＤＰは、通常、１回だけ記録することが許される。この場合、デジタル映像情報ＤＰは１回複製許可とされる。また、図１に示すように、映画等のデジタル映像情報ＤＰが再生専用なＤＶＤ２に予め記録されて市販される場合、ＤＶＤ２に記録されたデジタル映像情報ＤＰは、通常、複製が一切禁止される。この場合、デジタル映像情報ＤＰは複製禁止とされる。さらに、デジタル映像情報ＤＰが記録されたＤＶＤ２が無料配布される場合等には、デジタル映像情報ＤＰは、複製が制限されない場合が多い。この場合、デジタル映像情報ＤＰは複製許可とされる。
【００８１】
また、デジタル映像情報ＤＰおよびアナログ映像情報ＡＰには、電子透かし、複製制限符号およびＣＧＭＳ（Copy Generation Management System）に基づく符号（以下、これを「ＣＧＭＳ」という）が埋め込まれている。これらは、デジタル映像情報ＤＰおよびアナログ映像情報ＡＰにかけられた複製制限を記録装置１０および再生装置５０に認識させるための識別情報である。記録装置１０および再生装置５０は、これら電子透かし、複製制限符号およびＣＧＭＳのそれぞれの配置、判定方法およびスクランブル処理方法等を定めた複製制限に関する所定の規則に準拠している。そして、後述するように、記録装置１０および再生装置５０は、電子透かし、複製制限符号およびＣＧＭＳに基づいて、デジタル映像情報ＤＰおよびアナログ映像情報ＡＰの記録および再生を制限することができる。
【００８２】
次に、電子透かし、複製制限符号およびＣＧＭＳについて説明する。電子透かし（ウォータマーク、Watermark）は、画像または映像内に、画像または映像自体の品質を劣化させないように埋め込まれる。電子透かしは、複製禁止、１回複製禁止および複製許可のうち何れか１つを表す。なお、本実施形態では、画像または映像内に電子透かしが存在しないときに、複製許可を表すものとする。また、電子透かしは、記録装置１０または再生装置５０によって変更されることがない。
【００８３】
複製制限符号は、画像または映像内に埋め込まれ、前記画像または映像の表示範囲の周縁部近傍に配置される。複製制限符号は、１回複製許可、および、これ以上複製禁止（No More Copy）のうち何れか１つを表す。これ以上複製禁止は、１回複製許可のデジタル映像情報ＤＰまたはアナログ映像情報ＡＰが、既に１回ＤＶＤ１等に記録されたため、これ以上の複製を禁止することを意味する。さらに、複製制限符号は、１回複製許可のデジタル映像情報ＤＰまたはアナログ映像情報ＡＰを記録装置１０によってＤＶＤ１に記録し、このＤＶＤ１に記録されたデジタル映像情報ＤＰを再生装置５０によって読み出し、アナログ映像情報ＡＰに変換して外部に出力するとき、再生装置５０によって１回複製許可からこれ以上複製禁止に変更される。
【００８４】
また、複製制限符号は、互いに異なる２つの状態で１回複製許可とこれ以上複製禁止とをそれぞれ表す。なお、複製制限符号がデジタル映像情報ＤＰまたはアナログ映像情報ＡＰに存在するとき、１回複製許可を表し、存在しないとき、これ以上複製禁止を表すようにしてもよい。この場合、１回複製許可のデジタル映像情報ＤＰまたはアナログ映像情報ＡＰを記録装置１０によってＤＶＤ１に記録し、このＤＶＤ１に記録されたデジタル映像情報ＤＰを再生装置５０によって読み出し、アナログ映像情報ＡＰに変換して外部に出力するときに、複製制限符号は、再生装置５０によって削除される。
【００８５】
ここで、複製制限符号の埋込位置について、アナログ映像情報ＡＰがＮＴＳＣ（National Television System Committee）方式のビデオ信号である場合を例に挙げ、図２および図３に従って説明する。図２に示すように、ＮＴＳＣ方式のビデオ信号には、水平同期信号ＳＨ、バースト信号ＳＢ、画像または映像を形成するための実体画像信号ＳＧ等が含まれている。このうち、実体画像信号ＳＧに相当する期間が水平走査期間ＴＨＳであり、実体画像信号ＳＧと次の実体画像信号ＳＧとの間の期間が水平帰線消去期間ＴＨＢである。
【００８６】
ＣＲＴまたはＰＤＰに映し出される画像または映像は、水平走査期間ＴＨＳ内において実体画像信号ＳＧによって形成される。ところが、図３に示すように、ＣＲＴまたはＰＤＰにおいて、視聴者が実際に見ることができる表示範囲ＡＲ１は、一般に、実体画像信号ＳＧによって形成される画像または映像の形成範囲ＡＲ２の内側に存在する場合が多い。この結果、表示範囲ＡＲ１の外側であって、表示範囲ＡＲ１の周縁部近傍は、視聴者が実際に見ることができない部分である。なお、ＣＲＴまたはＰＤＰの機種によっては、表示範囲ＡＲ１と形成範囲ＡＲ２とがほぼ一致するものがあるが、この場合でも、画像または映像の周縁部分は、視聴者の目に入りにくい部分であり、画像または映像にほとんど影響を与えない部分である。
【００８７】
そこで、図３に示すように、複製制限符号ＣＰＣは、画像または映像の形成範囲ＡＲ２内であるが、画像または映像の表示範囲ＡＲ１の外側であって表示範囲ＡＲ１の周縁部近傍に埋め込まれる。画像または映像の表示範囲ＡＲ１の外側であって表示範囲ＡＲ１の周縁部近傍は、水平走査期間ＴＨＳの開始部分Ｐ１および終了部分Ｐ２に位置する実体画像信号ＳＧによって形成される。従って、複製制限符号ＣＰＣは、図２に示すように、水平走査期間ＴＨＳの開始部分Ｐ１および終了部分Ｐ２に位置する実体画像信号ＳＧに埋め込まれる。同様に、複製制限符号ＣＰＣは、垂直走査期間の開始部分および終了部分に位置する実体画像信号にも埋め込まれる。
【００８８】
ＣＧＭＳは、複製世代管理方式（Copy Generation Management System）に基づく複製制限を行うための識別情報であり、電子透かしと同様に、複製禁止、１回複製許可および複製許可のうち何れか１つを表す。また、ＣＧＭＳは、デジタル映像情報ＤＰに付加するためのＣＧＭＳ−Ｄと、アナログ映像情報ＡＰに付加するためのＣＧＭＳ−Ａの２種類の形態がある。ＣＧＭＳ−Ｄは、デジタル映像情報ＤＰのデータフォーマットがＤＶＤに記録するためのデータフォーマットであるとき、デジタル映像情報ＤＰを構成する各セクタのヘッダ領域に書き込まれる。また、ＣＧＭＳ−Ａは、ビデオ信号（アナログ映像情報ＡＰ）の水平走査線の、例えば、第２０ラインおよび第２８３ラインの各走査開始部分にパルス信号として埋め込まれる。また、ＣＧＭＳは、１回複製許可のデジタル映像情報ＤＰまたはアナログ映像情報ＡＰを記録装置１０によってＤＶＤ１に記録するときに、記録装置１０によって、１回複製許可から複製禁止に変更される。
【００８９】
本実施形態では、デジタル映像情報ＤＰまたはアナログ映像情報ＡＰが複製禁止の場合には、複製禁止を表す電子透かしおよび複製禁止を表すＣＧＭＳが埋め込まれる。デジタル映像情報ＤＰまたはアナログ映像情報ＡＰが１回複製許可の場合には、１回複製許可を表す電子透かし、１回複製許可を表す複製制限符号および１回複製許可を表すＣＧＭＳが埋め込まれる。さらに、デジタル映像情報ＤＰまたはアナログ映像情報ＡＰが複製許可の場合には、少なくとも複製許可を表すＣＧＭＳが埋め込まれる。
【００９０】
II．衛星放送受信機
次に、上述した衛星放送受信機３０１について説明する。衛星放送受信機３０１は、衛星放送システム２００から受信した電波に含まれるデジタル映像情報ＤＰをデジタルのままで、または、アナログ映像情報ＡＰに変換して出力することができる。従って、映像放送受信機３０１は、アナログ映像情報ＡＰを出力するためのアナログ出力端子と、デジタル映像情報ＤＰを出力するためのデジタル出力端子を備えている。
【００９１】
さらに、映像放送受信機３０１は、受信したデジタル映像情報ＤＰに含まれる電子透かし、および、デジタル出力端子に接続されている外部装置の種別に基づいて、デジタル映像情報ＤＰをデジタル出力端子から出力するか否かを制御する機能を備えている。
【００９２】
ここで、この機能について図４に基づいて説明する。衛星放送受信機３０１は、デジタル映像情報ＤＰを受信すると、まず、このデジタル映像情報ＤＰ内に埋め込まれている電子透かしを検出し、この電子透かしが複製禁止を表しているか、１回複製許可を表しているか、または、複製許可を表しているかを判定する（ステップ３１）。次に、衛星放送受信機３０１のデジタル出力端子に接続されている外部装置の種別が、衛星放送受信機３０１に予め登録されている認定装置の種別と一致するか否かを判定する（ステップ３２）。ここで、衛星放送受信機３０１には、当該記録再生システム１００の記録装置１０およびデジタル映像情報ＤＰを記録媒体に記録する機能を備えていない認定装置、例えばデジタルモニタ装置等が登録されている。そして、衛星放送受信機３０１は、電子透かしの状態と外部装置が認定装置か否かの判定に基づき、受信したデジタル映像情報ＤＰをデジタル出力するか否かを判定する（ステップ３３）。
【００９３】
ここで、図５は、衛星放送受信機３０１における各判定と制御の関係を示す制御管理表である。なお、衛星放送受信機３０１には、この制御管理表に対応する制御管理テーブルが記録されており、衛星放送受信機３０１は、この制御管理テーブルを用いて、上記ステップ３３の判定を行う。
【００９４】
即ち、図５中の制御管理表の第１行に示すように、電子透かしが複製禁止を表しており、デジタル出力端子に接続されている外部装置の種別が認定装置の種別と一致するとき、衛星放送受信機３０１は、デジタル映像情報ＤＰをデジタル出力端子から出力する（ステップ３４）。一方、制御管理表の第２行に示すように、デジタル出力端子に接続されている外部装置の種別が認定装置の種別と一致しないときには、衛星放送受信機３０１は、デジタル映像情報ＤＰのデジタル出力端子からの出力を行わない（ステップ３５）。これにより、例えばモニタ装置以外の記録機能を備えた装置等に複製禁止のデジタル映像情報ＤＰを出力するのを防止することができ、デジタル映像情報ＤＰのデジタル伝送による複製を制限することができる。
【００９５】
また、制御管理表の第３行に示すように、電子透かしが１回複製許可を表しており、デジタル出力端子に接続されている外部装置の種別が認定装置の種別と一致するとき、衛星放送受信機３０１は、デジタル映像情報ＤＰをデジタル出力端子から出力する（ステップ３４）。一方、制御管理表の第４行に示すように、デジタル出力端子に接続されている外部装置の種別が認定装置の種別と一致しないときには、衛星放送受信機３０１は、デジタル映像情報ＤＰのデジタル出力端子からの出力を行わない（ステップ３５）。これにより、例えば記録装置１０以外の記録装置に１回複製許可のデジタル映像情報ＤＰを出力するのを防止することができ、デジタル映像情報ＤＰのデジタル伝送による複製を制限することができる。
【００９６】
さらに、制御管理表の第５行に示すように、電子透かしが複製許可を表しているとき、衛星放送受信機３０１は、デジタル映像情報ＤＰをデジタル出力端子から出力する（ステップ３４）。
【００９７】
III．記録装置
次に、記録再生システム１００の記録装置１０について図６ないし図８に従って詳細に説明する。
【００９８】
図６に示すように、記録装置１０は、デジタル入力端子１１、アナログ入力端子１２、アナログ−デジタル変換器１３、ＭＰＥＧエンコーダ１４、切換スイッチ１５、ＣＧＭＳ−Ｄ検出器１６、ＣＧＭＳ−Ａ検出器１７、電子透かし検出器１８、複製制限符号検出器１９、記録コントローラ２０、フォーマット変換器２１、スクランブル処理器２２、切換スイッチ２３、エラー訂正符号付加器２４、認証符号付加器２５および記録器２６を備えている。
【００９９】
例えば、記録装置１０のアナログ入力端子１２に、上述した衛星放送受信機３０１のアナログ出力端子、または、再生装置５０のアナログ出力端子が接続された場合には、衛星放送受信機３０１または再生装置５０から出力されたアナログ映像情報ＡＰがアナログ入力端子１２から記録装置１０内に入力される。そして、このアナログ映像情報ＡＰは、アナログ−デジタル変換器１３およびＣＧＭＳ−Ａ検出器１７にそれぞれ入力される。アナログ−デジタル変換器１３は、アナログ映像情報ＡＰをアナログ−デジタル変換して、ＭＰＥＧエンコーダ１４および複製制限符号検出器１９にそれぞれ出力する。ＭＰＥＧエンコーダ１４は、アナログ−デジタル変換器１３から出力された映像情報を、ＭＰＥＧ２（Moving Picture Expert Group Phase 2）に基づく符号化方式を用いて符号化する。このように、アナログ映像情報ＡＰは、アナログ−デジタル変換器１３およびＭＰＥＧエンコーダ１４によってデジタル映像情報ＤＰに変換され、切換スイッチ１５に入力される。
【０１００】
ＭＰＥＧエンコーダ１４から切換スイッチ１５に入力されたデジタル映像情報ＤＰは、切換スイッチ１５を介して、電子透かし検出器１８およびフォーマット変換器２１に出力される。なお、切換スイッチ１５は、アナログ入力端子１２からの入力とデジタル入力端子１１からの入力とを切り換えるためのスイッチである。切換スイッチ１５の切換制御は、記録コントローラ２０から出力される切換制御信号ＳＣＳ１に基づいて行われる。
【０１０１】
電子透かし検出器１８は、切換スイッチ１５を介して入力されたデジタル映像情報ＤＰから電子透かしを検出し、この電子透かしに対応する電子透かし情報ＣＰＩ１を複製制限符号検出器１９および記録コントローラ２０に出力する。複製制限符号検出器１９は、アナログ−デジタル変換器１３から出力された映像情報から複製制限符号を検出し、この複製制限符号に対応する複製制限情報ＣＰＩ２を記録コントローラ２０に出力する。なお、複製制限符号検出器１９は、デジタル映像情報ＤＰから複製制限符号を検出する際に、電子透かし検出器１８から出力される電子透かし情報ＣＰＩ１を用いてもよい。ＣＧＭＳ−Ａ検出器１７は、アナログ入力端子１１から入力されたアナログ映像情報ＡＰからＣＧＭＳ−Ａを検出し、このＣＧＭＳ−Ａに対応するＣＧＭＳ情報ＣＰＩ４を記録コントローラ２０に出力する。
【０１０２】
フォーマット変換器２１は、切換スイッチ１５を介して入力されたデジタル映像情報ＤＰのデータフォーマットを、ＤＶＤに記録するためのデータフォーマットに変換する。具体的に説明すると、フォーマット変換器２１において、デジタル映像情報ＤＰは複数のセクタに分割される。各セクタは、当該セクタの先頭部分に位置するヘッダ領域と、中間部分に位置するデータ領域と、末尾部分に位置するエラー検出符号領域とからなる。ヘッダ領域には、ＤＶＤの記録および再生に必要なアドレス管理情報およびデータ制御情報等が書き込まれる。データ領域には、画像または映像に対応するデジタル映像データが書き込まれる。エラー検出符号領域には、各セクタのエラーを検出するためのエラー検出符号が書き込まれる。さらに、フォーマット変換器２１は、記録コントローラ２０からＣＧＭＳ情報を取得し、このＣＧＭＳ情報に対応するＣＧＭＳ−Ｄを生成し、このＣＧＭＳ−Ｄをデジタル映像情報ＤＰを構成する各セクタのヘッダ領域に付加する。なお、音声情報をデジタル映像データに合成する必要がある場合には、フォーマット変換器２１は、図示しない音声処理回路から音声情報を取得し、この音声情報をデジタル映像データに合成してから、この合成データを各セクタのデータ領域に書き込む。
【０１０３】
ＣＧＭＳ−Ｄが付加されたデジタル映像情報ＤＰは、フォーマット変換器２１からスクランブル処理器２２および切換スイッチ２３にそれぞれ入力される。スクランブル処理器２２は、デジタル映像情報ＤＰを構成する各セクタのデータ領域に記録されたデジタル映像データにスクランブルをかける。これにより、デジタル映像情報ＤＰは、スクランブルを解除しない限り再生不可能なデータとなる。
【０１０４】
切換スイッチ２３は、フォーマット変換器２１からスクランブル処理器２２を介して出力されたデジタル映像情報ＤＰとフォーマット変換器２１から直接出力されたデジタル映像情報ＤＰとを切り換えるためのスイッチである。切換スイッチ２３の切換制御は、記録コントローラ２０から出力される切換制御信号ＳＣＳ２に基づいて行われる。これにより、記録コントローラ２０の制御に従って、スクランブルのかかったデジタル映像情報ＤＰとスクランブルのかかっていないデジタル映像情報ＤＰを切り換えることができる。
【０１０５】
切換スイッチ２３を介して出力されたデジタル映像情報ＤＰは、エラー訂正符号付加器２４によってエラー訂正符号が付加され、認証符号付加器２５に入力される。認証符号付加器２５は、エラー訂正符号が付加されたデジタル映像情報ＤＰに認証符号を付加する。
【０１０６】
ここで、認証符号とは、当該記録装置１０によってデジタル映像情報ＤＰがＤＶＤ１に記録されたことを証明するための情報である。認証符号は、デジタル映像情報ＤＰを再生装置５０によって再生するとき、再生装置５０によって検出される。また、認証符号中に、上述したスクランブルを解除するためのスクランブル解除情報を含ませてもよい。なお、認証符号は、エラー訂正符号が付加されたデジタル映像情報ＤＰに、故意のエラーとして付加される非常に小さいデータである。このため、認証符号は、再生装置５０によって検出された後、再生装置５０におけるエラー訂正によって消失する。
【０１０７】
認証符号付加器２５によって認証符号が付加されたデジタル映像情報ＤＰは、記録器２６に入力される。記録器２６は、記録コントローラ２０が記録を許可したとき、デジタル映像情報ＤＰを記録可能または書換可能なＤＶＤ１に記録する。
【０１０８】
一方、記録コントローラ２０が記録を禁止したときには、記録器２６はデジタル映像情報ＤＰのＤＶＤ１への記録を行わない。このような記録器の２６の動作は、記録コントローラ２０から出力される記録制御信号ＷＣＳによって制御される。
【０１０９】
一方、記録装置１０のデジタル入力端子１１に、上述した衛星放送受信機３０１のデジタル出力端子、または、再生装置５０のデジタル出力端子が接続された場合には、衛星放送受信機３０１または再生装置５０から出力されたデジタル映像情報ＤＰがデジタル入力端子１１から記録装置１０内に入力される。なお、上述したように、衛星放送受信機３０１は、デジタル出力端子に接続された外部装置が当該記録再生システム１００の記録装置１０であることを認識したときには、
１回複製許可のデジタル映像情報ＤＰを出力する。また、後述するように、再生装置５０は、デジタル出力端子に接続された外部装置が認定装置以外（例えばモニタ装置以外）のときには、複製許可のデジタル映像情報ＤＰのみを出力する。但し、後述する非準拠再生装置等が記録装置１０のデジタル入力端子１１に接続された場合等には、どのような状態のデジタル映像情報ＤＰが入力されるか予想はつかない。
【０１１０】
さて、デジタル映像情報ＤＰがデジタル入力端子１１から記録装置１０内に入力されたとき、このデジタル映像情報ＤＰは、切換スイッチ１５、ＣＧＭＳ−Ｄ検出器１６にそれぞれ入力される。そして、切換スイッチ１５に入力されたデジタル映像情報ＤＰは、切換スイッチ１５を介して、電子透かし検出器１８およびフォーマット変換器２１にそれぞれ入力される。
【０１１１】
このとき、電子透かし検出器１８は、上述したとおり、デジタル映像情報ＤＰから電子透かしを検出し、この電子透かしに対応する電子透かし情報ＣＰＩ１を記録コントローラ２０に出力する。ＣＧＭＳ−Ｄ検出器１６は、デジタル入力端子１１を介して入力されたデジタル映像情報ＤＰからＣＧＭＳ−Ｄを検出し、このＣＧＭＳ−Ｄに対応するＣＧＭＳ情報ＣＰＩ３を記録コントローラ２０に出力する。
【０１１２】
そして、フォーマット変換器２１に入力されたデジタル情報ＤＰは、上述したとおり、スクランブル処理器２３、エラー訂正符号付加器２４、認証符号付加器２５を介して記録器２６に供給され、記録コントローラ２０が記録を許可したときに、記録器２６によってＤＶＤ１に記録される。
【０１１３】
さらに、記録コントローラ２０は、ＣＰＵおよびメモリ等を備えており、記録装置１０の全体的な制御、切換スイッチ１５の切換制御および図７に示すような記録制限制御を行う。
【０１１４】
次に、記録装置１０にアナログ映像情報ＡＰが入力されたときに、記録コントローラ２０によって行われる記録制限制御ついて図７および図８に従って説明する。
【０１１５】
記録装置１０にアナログ映像情報ＡＰが入力されると、記録コントローラ２０は、切換スイッチ１５をアナログ映像情報ＡＰの入力を許可するように切り換える。記録装置１０に入力されたアナログ映像情報ＡＰは、上述したように、アナログ−デジタル変換器１３によって変換されて複製制限符号検出器１９に入力されると共に、アナログ−デジタル変換器１３およびＭＰＥＧエンコーダ１４によってデジタル映像情報ＤＰに変換され、切換スイッチ１５を介して電子透かし検出器１８およびフォーマット変換器２１に入力される。このとき、記録コントローラ２０は、図７に示す記録制限制御を実行する。なお、説明の便宜上、アナログ映像情報ＡＰ、および、このアナログ映像情報ＡＰに基づいて変換されたデジタル映像情報ＤＰを、統一して「映像情報」という。
【０１１６】
図７において、記録コントローラ２０は、まず、電子透かし検出器１８から出力された電子透かし情報ＣＰＩ１に基づいて、記録装置１０に入力された映像情報に含まれる電子透かしが、複製禁止を表しているか、１回複製許可を表しているか、または、複製許可を表しているかを判定する（ステップ１）。さらに、記録コントローラ２０は、複製制限符号検出器１９から出力された複製制限情報ＣＰＩ２に基づいて、記録装置１０に入力された映像情報に含まれる複製制限符号が、これ以上複製禁止を表しているか、または、１回複製許可を表しているかを判定する（ステップ２）。さらに、記録コントローラ２０は、ＣＧＭＳ−Ａ検出器１７から出力されるＣＧＭＳ情報ＣＰＩ４に基づいて、記録装置１０に入力された映像情報に含まれるＣＧＭＳが、複製禁止を表しているか、１回複製許可を表しているか、または、複製許可を表しているかを判定する（ステップ３）。
【０１１７】
次に、記録コントローラ２０は、ステップ１ないし３の判定結果に基づいて、記録装置１０に入力された映像情報のＤＶＤ１への記録を許可するか禁止するかを判定する（ステップ４）。
【０１１８】
この映像情報のＤＶＤ１への記録を許可すると判定したとき（ステップ４＝ＹＥＳ）、記録コントローラ２０は、記録の許可を示す記録制御信号ＷＣＳを記録器２６に出力する（ステップ５）。さらに、記録コントローラ２０は、ステップ１ないし３の判定に基づいて、映像情報（正確には、デジタル映像情報ＤＰを構成する各セクタのデータ領域に書き込まれたデジタル映像データ）にスクランブルをかける必要があるか否かを判定する（ステップ７）。映像情報にスクランブルをかける必要があると判定したとき（ステップ７＝ＹＥＳ）、記録コントローラ２０は、切換制御信号ＳＣＳ２を切換スイッチ２３に出力し、スクランブル処理器２２によってスクランブルがかけられた映像情報が記録器２６側に出力されるように切換スイッチ２３を切り換える（ステップ８）。これにより、スクランブルのかかった映像情報が記録器２６によってＤＶＤ１に記録される。
【０１１９】
一方、映像情報にスクランブルをかける必要がないと判定したときには（ステップ７＝ＮＯ）、記録コントローラ２０は、切換制御信号ＳＣＳ２を切換スイッチ２３に出力し、スクランブルがかけられていない映像情報が記録器２６側に出力されるように切換スイッチ２３を切り換える（ステップ９）。これにより、スクランブルのかかっていない映像情報が記録器２６によってＤＶＤ１に記録される。
【０１２０】
また、ステップ４において、記録装置１０に入力された映像情報のＤＶＤ１への記録を禁止すると判定したときには（ステップ４＝ＮＯ）、記録コントローラ２０は、記録の禁止を示す記録制御信号ＷＣＳを記録器２６に出力する（ステップ６）。これにより、この映像情報のＤＶＤ１への記録は行われない。
【０１２１】
ここで、記録装置１０に入力された映像情報（アナログ映像情報ＡＰ）に含まれる電子透かし、複製制限符号およびＣＧＭＳの状態と、これらの状態に対して記録コントローラ２０が実行する制御について図８に従って具体的に説明する。
【０１２２】
図８は、電子透かし、複製制限符号およびＣＧＭＳの状態と、これらの状態に対して記録コントローラ２０が実行する制御との関係を示す制御管理表を示している。なお、記録コントローラ２０のメモリには、この制御管理表に対応する制御管理テーブルが記録されており、記録コントローラ２０は、この制御管理テーブルを用いて上記記録制限制御を行う。
【０１２３】
制御管理表の第１行に示すように、電子透かしが複製禁止を表しているとき、記録コントローラ２０は、記録装置１０に入力された映像情報が複製禁止であることを認識する。このとき、記録コントローラ２０は、記録の禁止を示す記録制御信号ＷＣＳを記録器２６へ出力する。この結果、複製禁止の映像情報はＤＶＤ１に記録されない。これにより、複製禁止の映像情報が複製されるのを防止することができる。
【０１２４】
また、制御管理表の第２行に示すように、電子透かしが１回複製許可を表しており、複製制限符号がこれ以上複製禁止を表しているとき、記録コントローラ２０は、記録装置１０に入力された映像情報が、これ以上複製禁止であることを認識する。このとき、記録コントローラ２０は、記録の禁止を示す記録制御信号ＷＣＳを記録器２６に出力する。これにより、これ以上複製禁止の映像情報はＤＶＤ１に記録されない。従って、本実施形態による記録装置１０によれば、これ以上複製禁止の映像情報が複製されるのを防止することができる。
【０１２５】
例えば、図１に示すような衛星放送システム２００から送信される映画等の映像情報は、１回だけ記録が許可される。このため、衛星放送システムから送信される映画等の映像情報には、１回複製許可を表す電子透かし、１回複製許可を表す複製制限符号および１回複製許可を表すＣＧＭＳが埋め込まれる。この映像情報を記録装置１０によりＤＶＤ１に記録するとき、記録装置１０によって、映像情報に含まれるＣＧＭＳが１回複製許可から複製禁止に変更される。さらに、このＤＶＤ１に記録された映像情報を再生装置５０により再生するとき、この映像情報に含まれる複製制限情報が１回複製許可からこれ以上複製禁止に変更される。従って、再生装置５０により再生された段階において、映像情報には、１回複製許可を表す電子透かしと、これ以上複製禁止を表す複製制限符号と、複製禁止を表すＣＧＭＳが含まれることとなる。従って、記録コントローラ２０は、少なくとも、電子透かしが１回複製許可を表しており、複製制限符号がこれ以上複製禁止を表しているときには、この映像情報がこれ以上複製禁止であることを認識し、上述したように、映像情報のＤＶＤ１への記録を禁止する。
【０１２６】
さらに、制御管理表の第４行に示すように、電子透かし、複製制限符号およびＣＧＭＳがすべて１回複製許可を表しているとき、記録コントローラ２０は、記録装置１０に入力された映像情報が１回複製禁止であることを認識する。このとき、記録コントローラ２０は、記録の許可を示す記録制御信号ＷＣＳを記録器２６に出力すると共に、スクランブル処理器２２によってスクランブルがかかった映像情報が記録器２６側に出力されるように切換スイッチ２３を切り換える。これにより、１回複製許可の映像情報は、スクランブルがかかった状態でＤＶＤ１に記録される。従って、視聴者は、このＤＶＤ１に記録された映像情報を、再生装置５０以外の非準拠再生装置で再生しようとしても、実際に再生することはできない。なぜなら、再生装置５０以外の非準拠再生装置はスクランブルを解除することができないからである。この結果、１回複製許可の映像情報がＤＶＤ１に記録された後に、非準拠再生装置を介して、さらに複製されるのを防止することができる。ここで、非準拠再生装置とは、デジタル映像情報ＤＰまたはアナログ映像情報ＡＰ内に含まれる電子透かし、複製制限符号およびＣＧＭＳのそれぞれの配置、判定方法、スクランブル処理方法およびスクランブル解除方法等を定めた複製制限に関する所定の規則に準拠していない他の再生装置を意味する。
【０１２７】
さらに、制御管理表の第８行に示すように、電子透かしおよびＣＧＭＳがそれぞれ複製許可を表しているとき、記録コントローラ２０は、記録装置１０に入力された映像情報が複製許可であることを認識する。このとき、記録コントローラ２０は、記録の許可を示す記録制御信号ＷＣＳを記録器２６に出力すると共に、スクランブルがかかっていない映像情報が記録器２６側に出力されるように切換スイッチ２３を切り換える。これにより、複製許可の映像情報は、スクランブルがかかっていない状態でＤＶＤ１に記録される。
【０１２８】
なお、制御管理表の第３行、第５行、第６行または第７行に示すように、電子透かし、複製制限符号およびＣＧＭＳの間で矛盾があるとき、記録コントローラ２０は、不正に改竄された可能性がある映像情報が記録装置１０に入力されたことを認識する。このとき、記録コントローラ２０は、記録の禁止を示す記録制御信号ＷＣＳを記録器２６出力する。これにより、不正に改竄された可能性がある映像情報はＤＶＤ１に記録されない。従って、本実施形態による記録装置１０によれば、不正に改竄された可能性がある映像情報が複製されるのを防止することができる。
【０１２９】
IV．再生装置
次に、記録再生システム１００の再生装置５０について図９ないし図１１に従って詳細に説明する。
【０１３０】
図９に示すように、再生装置５０は、再生器５１、認証符号検出器５２、エラー訂正器５３、ＣＧＭＳ−Ｄ検出器５４、スクランブル解除器５５、再生コントローラ５６、切換スイッチ５７、デジタル出力制御器５８、デジタル出力端子５９、フォーマット変換器６０、電子透かし検出器６１、ＭＰＥＧデコーダ６２、複製制限符号変更器６３、デジタル−アナログ変換器６４およびアナログ出力端子６５を備えている。
【０１３１】
再生器５１は、再生コントローラ５６が読出を許可したとき、ＤＶＤに記録されたデジタル映像情報ＤＰを読み出し、このデジタル映像情報ＤＰを認証符号検出器５２に出力する。一方、再生コントローラ５６が読み出しを禁止したときには、再生器５１は、デジタル映像情報ＤＰの読み出しを行わない。このような再生器の５１の動作は、再生コントローラ５６から出力される読出制御信号ＲＣＳによって制御される。
【０１３２】
認証符号検出器５２は、再生器５１によって読み出されたデジタル映像情報ＤＰ内に認証符号が存在するか否かを検出する。認証符号の存在が検出できたときには、認証符号検出器５２は、デジタル映像情報ＤＰ内から認証符号を読み出し、この認証符号に対応する認証情報ＣＭＩを再生コントローラ５６に出力する。一方、認証符号の存在が検出できなかったときには、認証符号検出器５６は、認証符号が検出できなかったことを示す情報を再生コントローラ５６に出力する。なお、上述したように、認証符号にスクランブル解除情報を含ませた場合には、認証符号検出器５２は、スクランブル解除情報をスクランブル解除器５５に出力する。
【０１３３】
認定符号検出器５２から出力されたデジタル映像情報ＤＰは、エラー訂正器５３によってエラー訂正され、ＣＧＭＳ−Ｄ検出器５４に入力される。ＣＧＭＳ−Ｄ検出器５４は、デジタル映像情報ＤＰからＣＧＭＳ−Ｄを検出し、このＣＧＭＳ−Ｄに対応するＣＧＭＳ情報ＣＰＩ３を再生コントローラ５６に出力する。
【０１３４】
ＣＧＭＳ−Ｄ検出器５４から出力されたデジタル映像情報ＤＰは、スクランブル解除器５５および切換スイッチ５７にそれぞれ出力される。スクランブル解除器５５は、デジタル映像情報ＤＰに含まれるデジタル映像データにスクランブルがかかっているか否かを検出する。スクランブルがかかっているとき、スクランブル解除器５５は、スクランブルがかかっていることを示す検出情報ＤＣＩを再生コントローラ５６および切換スイッチ５７に出力すると共に、このスクランブルを解除し、スクランブルが解除されたデジタル映像情報ＤＰを切換スイッチ５７に出力する。なお、上述したように、認証符号に上述したスクランブル解除情報を含ませた場合には、スクランブル解除器５５は、認証符号検出器５２から出力されるスクランブル解除情報を用いてスクランブルを解除する。一方、デジタル映像情報ＤＰにスクランブルがかかっていないときには、スクランブル解除器５５は、スクランブルがかかっていないことを示す検出情報ＤＣＩを再生コントローラ５６および切換スイッチ５７に出力する。
【０１３５】
切換スイッチ５７は、ＣＧＭＳ−Ｄ検出器５４から直接出力されたデジタル映像情報ＤＰと、ＣＧＭＳ−Ｄ検出器５４からスクランブル解除器５５を介して出力されたデジタル映像情報ＤＰとを切り換えるためのスイッチである。切換スイッチ５７の切換制御は、スクランブル解除器５５から出力される検出情報ＤＣＩ等に基づいて行われる。これにより、デジタル映像情報ＤＰにスクランブルがかかっていないときには、ＣＧＭＳ−Ｄ検出器５４から出力されたデジタル映像情報ＤＰが、そのまま切換スイッチ５７を介してデジタル出力制御器５８に出力される。一方、デジタル映像情報ＤＰにスクランブルがかかっているときには、スクランブル解除器５５によってスクランブルが解除されたデジタル映像情報ＤＰが、切換スイッチ５７を介してデジタル出力制御器５８に出力される。
【０１３６】
デジタル出力制御器５８は、再生装置５０のデジタル出力制御を行うものである。デジタル出力制御器５８の出力部はデジタル出力端子５９に接続されており、さらにデジタル出力端子５９は、デジタルバスを介して外部装置（いずれも図示せず）に接続されている。デジタル出力制御器５８は、この外部装置と前記デジタルバスを介して双方向通信を行い、外部装置の種別を示す種別情報ＤＶＩを取得し、この種別情報ＤＶＩを再生コントローラ５６に出力する。この種別情報ＤＶＩは、再生コントローラ５６によって実行される後述の再生制限制御に用いられる。再生コントローラ５６は、再生制限制御において、デジタル映像情報ＤＰの外部装置への出力を許可または禁止するための出力制御信号ＯＣＳをデジタル出力制御器５８に出力する。デジタル出力制御器５８は、再生コントローラ５６が出力を許可したときに、切換スイッチ５７を介して出力されたデジタル映像情報ＤＰをデジタルの状態のまま再生装置５０から外部装置に出力する。一方、再生コントローラ５６が出力を禁止したときには、デジタル出力制御器５８は、デジタル映像情報ＤＰの外部装置への出力を行わない。
【０１３７】
切換スイッチ５７から出力されたデジタル映像情報ＤＰは、デジタル出力制御器５８だけでなく、フォーマット変換器６０にも出力される。フォーマット変換器６０は、デジタル映像情報ＤＰのデータフォーマットをアナログ出力するためのデータフォーマットに変換する。なお、再生器５１によってＤＶＤから読み出された情報が、例えば、映画を再生するための情報である場合には、読み出された情報内には、デジタル映像情報ＤＰだけでなく音声情報等も含まれている。このような場合、フォーマット変換器６０は、デジタル映像情報ＤＰと音声情報等を分離する。そして、音声情報は図示しない音声処理回路に出力される。
【０１３８】
データフォーマットが変換されたデジタル映像情報ＤＰは、電子透かし検出器６１に入力される。電子透かし検出器６１は、デジタル映像情報ＤＰに含まれる電子透かしを検出し、この電子透かしに対応する電子透かし情報ＣＰＩ１を再生コントローラ５６に出力する。
【０１３９】
さらに、デジタル映像情報ＤＰは、ＭＰＥＧデコーダ６２においてＭＰＥＧ２に基づく復号化方式によって復号化され、複製制限符号変更器６３に入力される。複製制限符号変更器６３は、再生コントローラ５６から複製制限符号変更器６３に変更制御信号ＣＣＳが出力されたときに、デジタル映像情報ＤＰに含まれる複製制限符号を１回複製許可から複製禁止に変更する。なお、再生コントローラ５６において実行される再生制限制御に、デジタル映像情報ＤＰに含まれる複製制限符号が必要な場合には、複製制限符号変更器６３は、変更される前の複製制限符号をＭＰＥＧ２複合化されたデジタル映像情報ＤＰから検出し、この複製制限符号に対応する複製制限情報ＣＰＩ２を再生コントローラ５６に出力する。
【０１４０】
複製制限符号変更器６３から出力されたデジタル映像情報ＤＰは、デジタル−アナログ変換器６４によってデジタル−アナログ変換され、アナログ映像情報ＡＰとしてアナログ出力端子６５から外部に出力される。これにより、例えば、アナログ出力端子６５にモニタ装置を接続した場合には、モニタ装置に画像または映像が表示される。
【０１４１】
さらに、再生コントローラ５６は、ＣＰＵおよびメモリ等を備えており、再生装置５０の全体的な制御および図１０に示すような再生制限制御を行う。
【０１４２】
ここで、再生コントローラ５６によって行われる再生制限制御について図１０および図１１に従って説明する。
【０１４３】
まず、再生コントローラ５６は、読出を許可する読出制御信号ＲＣＳを再生器５１に出力する。これにより、再生器５１は、ＤＶＤからのデジタル映像情報ＤＰの読出を開始する。そして、再生コントローラ５６は、図１０に示す再生制限制御を実行する。
【０１４４】
図１０において、再生コントローラ５６は、電子透かし検出器６１から出力される電子透かし情報ＣＰＩ１に基づいて、再生器５１によって読み出されたデジタル映像情報ＤＰが、複製禁止を表しているか、１回複製許可を表しているか、または、複製許可を表しているかを判定する（ステップ１１）。さらに、ＣＧＭＳ−Ｄ検出器５４から出力されるＣＧＭＳ情報ＣＰＩ３に基づいて、再生器５１によって読み出されたデジタル映像情報ＤＰが、複製禁止を表しているか、１回複製許可を表しているか、または、複製許可を表しているかを判定する（ステップ１２）。さらに、スクランブル解除器５５から出力される検出情報ＤＣＩに基づいて、再生器５１によって読み出されたデジタル映像情報ＤＰに含まれるデジタル映像データにスクランブルがかかっているか否かを判定する（ステップ１３）。さらに、認証符号検出器５２から出力される認証情報ＣＭＩに基づいて、再生器５１によって読み出されたデジタル映像情報ＤＰに認証符号が付加されているか否かを判定する（ステップ１４）。
【０１４５】
次に、再生コントローラ５６は、上記ステップ１１〜１４の判定結果に基づいて、再生器５１によるデジタル映像情報ＤＰの読出を許可するか禁止するかを判定する（ステップ１５）。
【０１４６】
再生器５１によるデジタル映像情報ＤＰの読出を許可すると判定したとき（ステップ１５＝ＹＥＳ）、再生コントローラ５６は、読出の許可を示す読出制御信号ＲＣＳを再生器５１に出力する（ステップ１６）。これにより、再生器５１は、デジタル制御情報ＤＰの読出を続行する。さらに、再生コントローラ５６は、上記ステップ１１〜１４の判定結果に基づいて、再生器５１によって読み出されたデジタル映像情報ＤＰに含まれる複製制限符号を１回複製許可からこれ以上複製禁止に変更する必要があるか否か判定する（ステップ１８）。複製制限符号を変更する必要があると判定したときには（ステップ１８＝ＹＥＳ）、再生コントローラ５６は、複製制限符号の変更を指示する変更制御信号ＣＣＳを複製制限符号変更器６３に出力する（ステップ１９）。これにより、複製制限符号変更器６３は、再生器５１から読み出されたデジタル映像情報ＤＰに含まれる複製制限符号を１回複製許可からこれ以上複製禁止に変更する。そして、複製制限符号が変更されたデジタル映像情報ＤＰは、デジタル−アナログ変換器６４によってアナログ映像情報ＡＰに変換され、アナログ出力端子６５から外部にアナログ出力される。なお、上述したとおり、再生器５１から読み出されたデジタル映像情報ＤＰにスクランブルがかかっていた場合には、スクランブルは、スクランブル解除器５５によって解除されている。
【０１４７】
一方、ステップ１８において、複製制限符号を変更する必要がないと判定したときには（ステップ１８＝ＮＯ）、再生コントローラ５６は、複製制限符号を変更を指示する変更制御信号ＣＣＳを出力しない。これにより、複製制限符号変更器６３は、再生器５１から読み出されたデジタル映像情報ＤＰに含まれる複製制限符号を変更しない。そして、このデジタル映像情報ＤＰは、デジタル−アナログ変換器６４によってアナログ映像情報ＡＰに変換され、アナログ出力端子６５から外部にアナログ出力される。
【０１４８】
さらに、再生コントローラ５６は、デジタル出力制御器５８から出力される種別情報ＤＶＩに基づいて、デジタル出力端子５９にデジタルバスを介して接続されている外部装置の種別が、再生コントローラ５６のメモリに予め登録されている認定装置の種別と一致するか否かを判定する（ステップ２０）。
【０１４９】
ここで、再生コントローラ５６のメモリには、再生装置５０から出力されるデジタル映像情報ＤＰを受け取ることができ、このデジタル映像情報ＤＰを記録媒体に記録する機能を備えていない認定装置の種別情報が予め登録されている。例えば、再生コントローラ５６のメモリには、この認定装置として、デジタルモニタ装置が登録されている。
【０１５０】
そして、ステップ２０の判定の結果、デジタル出力端子５９にデジタルバスを介して接続されている外部装置の種別が、再生コントローラ５６のメモリに予め登録されている認定装置の種別と一致するとき（ステップ２０＝ＹＥＳ）、再生コントローラ５６は、デジタル映像情報ＤＰのデジタル出力の許可を示す出力制御信号ＯＣＳをデジタル出力制御器５８に出力する（ステップ２１）。これにより、デジタル出力制御器５８は、デジタル映像情報ＤＰをでデジタル出力端子５９から外部装置に向けて出力する。即ち、再生器５１によって読み出されたデジタル映像情報ＤＰは、アナログ出力端子６５からアナログ出力されるだけでなく、デジタル出力端子５９からデジタル出力される。
【０１５１】
一方、ステップ２０の判定の結果、デジタル出力端子５９にデジタルバスを介して接続されている外部装置の種別が、再生コントローラ５６のメモリに予め登録されている認定装置の種別と一致しないときには（ステップ２０＝ＮＯ）、再生コントローラ５６は、デジタル映像情報ＤＰのデジタル出力の禁止を示す出力制御信号ＯＣＳをデジタル出力制御器５８に出力する（ステップ２２）。これにより、再生器５１によって読み出されたデジタル映像情報ＤＰのアナログ出力は行われるが、デジタル出力は行われない。
【０１５２】
また、ステップ１５において、再生器５１によるデジタル映像情報ＤＰの読出を禁止すると判定したときには（ステップ１５＝ＮＯ）、再生コントローラ５６は、読出の禁止を示す読出制御信号ＲＣＳを再生器５１に出力する（ステップ１７）。これにより、再生器５１によるデジタル映像情報ＤＰの読出は中止される。従って、デジタル映像情報ＤＰのアナログ出力もデジタル出力も行われない。
【０１５３】
ここで、再生器５１によって読み出されたデジタル映像情報ＤＰに含まれる電子透かしおよびＣＧＭＳ等の状態と、これらの状態に対して再生コントローラ５６が実行する制御について図１１に従って具体的に説明する。
【０１５４】
図１１は、電子透かしおよびＣＧＭＳ等の状態と、これらの状態に対して再生コントローラ５６が実行する制御との関係を示す制御管理表を示している。なお、再生コントローラ５６のメモリには、この制御管理表に対応する制御管理テーブルが記録されており、再生コントローラ５６は、この制御管理テーブルを用いて上記再生制限制御を行う。
【０１５５】
制御管理表の第３行に示すように、電子透かしが複製禁止を表しており、かつ、ＣＧＭＳが複製禁止を表しているとき、再生コントローラ５６は、ＤＶＤから読み出されたデジタル映像情報ＤＰが複製禁止であることを認識する。さらに、制御管理表の第３行に示すように、デジタル映像情報ＤＰにスクランブルがかかっておらず、かつ、デジタル映像情報ＤＰに認証符号が存在しないとき、再生コントローラ５６は、ＤＶＤから読み出されたデジタル映像情報ＤＰが再生専用のＤＶＤに予め記録されたものであることを認識する。さらに、制御管理表の第３行に示すように、再生装置５０のデジタル出力端子５９に接続されている外部装置の種別が、上述した認定装置の種別と一致しないとき、再生コントローラ５６は、外部装置がデジタル映像情報ＤＰをデジタルの状態のままで記録する機能を備えている可能性があることを認識する。このとき、再生コントローラ５６は、読出の許可を示す読出制御信号ＲＳＣを再生器５１に出力すると共に、デジタル映像情報ＤＰのデジタル出力の禁止を示す出力制御信号ＯＣＳをデジタル出力制御器５８に出力する。これにより、複製禁止のデジタル映像情報ＤＰはアナログ映像情報ＡＰに変換されてアナログ出力されるが、複製禁止のデジタル映像情報ＤＰのデジタル出力は行われない。従って、視聴者は、複製禁止のデジタル映像情報ＤＰによる画像または映像を、例えば、再生装置５０のアナログ出力端子６５に接続されたアナログモニタ装置で見ることができる。しかしながら、視聴者は、再生装置５０のデジタル出力端子５９に記録装置を接続し、複製禁止のデジタル映像情報ＤＰをデジタル伝送によって複製することはできない。このように、本実施形態による再生装置５０によれば、複製禁止のデジタル映像情報ＤＰのデジタル伝送による複製を防止することができる。
【０１５６】
一方、制御管理表の第４行に示すように、再生装置５０のデジタル出力端子５９に接続されている外部装置の種別が、上述した認定装置の種別と一致するとき、再生コントローラ５６は、外部装置がデジタル映像情報ＤＰをデジタルのままで記録する機能を備えていないことを認識する。このとき、再生コントローラ５６は、デジタル映像情報ＤＰのデジタル出力の許可を示す出力制御信号ＯＣＳをデジタル出力制御器５８に出力する。これにより、複製禁止のデジタル映像情報ＤＰは、アナログ映像情報ＡＰに変換されてアナログ出力されると共に、デジタル出力される。従って、例えば再生装置５０のデジタル出力端子５９にデジタル表示装置が接続されている場合には、視聴者は、複製禁止のデジタル映像情報ＤＰによる画像または映像を、このデジタル表示装置によって見ることができる。
【０１５７】
また、制御管理表の第７行に示すように、電子透かしが１回複製許可を表しており、かつ、ＣＧＭＳが複製禁止を表しているとき、再生コントローラ５６は、ＤＶＤから読み出されたデジタル映像情報ＤＰがこれ以上複製禁止であることを認識する。さらに、制御管理表の第７行に示すように、デジタル映像情報ＤＰにスクランブルがかかっており、かつ、デジタル映像情報ＤＰ内に認証符号が存在するとき、再生コントローラ５６は、ＤＶＤから読み出されたデジタル映像情報ＤＰが記録装置１０によって記録されたものであることを認識する。さらに、制御管理表の第７行に示すように、再生装置５０のデジタル出力端子５９に接続されている外部装置の種別が、上述した認定装置の種別と一致しないとき、再生コントローラ５６は、外部装置がデジタル映像情報ＤＰをデジタルのまま記録する機能を備えている可能性があることを認識する。このとき、再生コントローラ５６は、読出の許可を示す読出制御信号ＲＳＣを再生器５１に出力し、デジタル映像情報ＤＰのデジタル出力の禁止を示す出力制御信号ＯＣＳをデジタル出力制御器５８に出力し、変更制御信号ＣＣＳを複製制限符号変更器６３に出力する。これにより、これ以上複製禁止のデジタル映像情報ＤＰは、複製制限符号が１回複製許可からこれ以上複製禁止に変更されてから、アナログ映像情報ＡＰに変換されてアナログ出力される。従って、視聴者は、再生装置５０のアナログ出力端子６５に記録装置１０を接続してこれ以上複製禁止のアナログ映像情報ＡＰを複製しようとしても、複製することができない。なぜなら、記録装置１０が、これ以上複製禁止に変更された複製制限符号を検出して、記録を行わないからである。このように、本実施形態による記録再生システム１００によれば、これ以上複製禁止のデジタル映像情報ＤＰのアナログ伝送による複製を防止することができる。
【０１５８】
一方、制御管理表の第８行に示すように、再生装置５０のデジタル出力端子５９に接続されている外部装置の種別が、上述した認定装置の種別と一致するとき、再生コントローラ５６は、外部装置がデジタル映像情報ＤＰをデジタルのままで記録する機能を備えていないことを認識する。このとき、再生コントローラ５６は、デジタル映像情報ＤＰのデジタル出力の許可を示す出力制御信号ＯＣＳをデジタル出力制御器５８に出力する。これにより、これ以上複製禁止のデジタル映像情報ＤＰは、アナログ映像情報ＡＰに変換されてアナログ出力されると共に、デジタル出力される。
【０１５９】
また、制御管理表の第１９行に示すように、電子透かしおよびＣＧＭＳがそれぞれ複製許可を表しているとき、再生コントローラ５６は、ＤＶＤから読み出されたデジタル映像情報ＤＰが複製許可であることを認識する。さらに、制御管理表の第１９行に示すように、デジタル映像情報ＤＰにスクランブルがかかっていないとき、再生コントローラ５６は、ＤＶＤから読み出されたデジタル映像情報ＤＰが正常であることを認識する。このとき、再生コントローラ５６は、読出の許可を示す読出制御信号ＲＳＣを再生器５１に出力し、デジタル映像情報ＤＰのデジタル出力の許可を示す出力制御信号ＯＣＳをデジタル出力制御器５８に出力する。これにより、複製許可のデジタル映像情報ＤＰは、アナログ映像情報ＡＰに変換されてアナログ出力されると共に、デジタル出力される。従って、本実施形態による再生装置５０によれば、複製許可のデジタル映像情報ＤＰを、アナログとデジタルの２種類の形態で出力することができる。
【０１６０】
さらに、制御管理表の第１０行に示すように、電子透かしが１回複製許可を表しており、かつ、ＣＧＭＳが複製禁止を表しているとき、再生コントローラ５６は、ＤＶＤから読み出されたデジタル映像情報ＤＰがこれ以上複製禁止であることを認識する。ところが、制御管理表の第１０行に示すように、デジタル映像情報ＤＰにスクランブルがかかっていないときには、再生コントローラ５６は、このデジタル映像情報ＤＰが記録装置１０以外の非準拠記録装置によってＤＶＤに記録されたものであることを認識する。ここで、非準拠記録装置とは、デジタル映像情報ＤＰまたはアナログ映像情報ＡＰ内に含まれる電子透かし、複製制限符号およびＣＧＭＳのそれぞれの配置、判定方法、スクランブル処理方法およびスクランブル解除方法等を定めた複製制限に関する所定の規則に準拠していない他の記録装置を意味する。このとき、再生コントローラ５６は、読出の禁止を示す読出制御信号ＲＣＳを再生器５１に出力する。これにより、非準拠記録装置によって記録されたデジタル映像情報ＤＰの再生および出力は行われない。従って、非準拠記録装置でデジタル映像情報ＤＰの複製を行った者は、その複製したデジタル映像情報ＤＰを再生装置５０によって再生することができないため、複製したことによる利益を得ることができず、不便さを感じる。この結果、非準拠記録装置または非準拠再生装置によって行われるデジタル映像情報ＤＰまたはアナログ映像情報ＡＰの無制限な複製を減少させることができる。
【０１６１】
さらに、制御管理表の第１行に示すように、電子透かしが複製禁止を表しているにも拘わらず、デジタル映像情報ＤＰにスクランブルがかかっているとき、第２行に示すように、電子透かしが複製禁止を表しているにも拘わらず、デジタル映像情報ＤＰ内に認証符号が存在するとき、制御管理表の第５行に示すように、電子透かしとＣＧＭＳが矛盾しているとき、制御管理表の第９行に示すように、デジタル映像情報ＤＰにスクランブルがかかっていいるにも拘わらず、デジタル映像情報ＤＰ内に認証符号が存在しない等のとき、再生コントローラ５６は、不正に改竄された可能性があるデジタル映像情報ＤＰがＤＶＤに記録されていることを認識する。このとき、再生コントローラ５６は、読出の禁止を示す読出制御信号ＲＣＳを再生器５１に出力する。これにより、不正に改竄された可能性があるデジタル映像情報ＤＰが再生され、再生装置５０から外部に出力されるのを防止することができる。
【０１６２】
なお、制御管理表の第１５行または第１６行では、電子透かしが複製許可を表しており、ＣＧＭＳが複製禁止を表している。このような場合には、再生コントローラ５６は、制御管理表の第３行または第４行と同様な制御を行う。
【０１６３】
V．記録再生システムによる複製制限
本実施形態による記録再生システム１００によれば、記録装置１０および再生装置５０を用いて行われるデジタル映像情報ＤＰの複製を適正に制限することができる。
【０１６４】
例えば、図１２に示すように、▲１▼衛星方法システム２００から送信されたデジタル映像情報ＤＰを、衛星放送受信機３０１を介して記録装置１０に取り込み、▲２▼このデジタル映像情報ＤＰまたは衛星放送受信機３０１によって変換されたアナログ映像情報ＡＰを記録装置１０によってＤＶＤ１に記録し、▲３▼ＤＶＤ１に記録されたデジタル映像情報ＤＰを再生装置５０によって再生し、▲４▼再生装置５０から出力されたデジタル映像情報ＤＰまたはアナログ映像情報ＡＰを再生装置５０に接続された別の記録装置１０によって他のＤＶＤにさらに記録する、といった経路で行われるデジタル映像情報ＤＰの複製を適正に制限することができる。
【０１６５】
特に、再生装置５０から、当該再生装置５０のアナログ出力端子６５に接続された記録装置１０に、これ以上複製禁止のデジタル映像情報ＤＰをアナログ映像情報ＡＰに変換して出力するとき、再生装置５０によって、これ以上複製禁止のデジタル映像情報ＤＰに含まれる複製制限符号が１回複製許可からこれ以上複製禁止に変更されるので、これ以上複製禁止のデジタル映像情報ＤＰが記録装置１０によって記録されるのを防止することができる。
【０１６６】
また、本実施形態による記録装置１０によれば、１回複製許可のデジタル映像情報ＤＰを、スクランブルをかけてからＤＶＤ１に記録するので、このＤＶＤ１に記録されたことによって１回複製許可からこれ以上複製禁止となったデジタル映像情報ＤＰが、複製制限機能を備えていない非準拠再生装置によって再生されるのを防止することができる。従って、この非準拠再生装置を起点として、これ以上複製禁止のデジタル映像情報ＤＰが複製されるのを防止することができる。
【０１６７】
例えば、図１２に示すように、▲１▼衛星方法システム２００から送信されたデジタル映像情報ＤＰを、衛星放送受信機３０１を介して記録装置１０に取り込み、▲２▼このデジタル映像情報ＤＰまたは衛星放送受信機３０１によって変換されたアナログ映像情報ＡＰを記録装置１０によってＤＶＤ１に記録し、▲３▼ＤＶＤ１に記録されたデジタル映像情報ＤＰを非準拠再生装置３０３によって再生しようとしても、非準拠再生装置３０３は、デジタル映像情報ＤＰにかかっているスクランブルを解除できないため、このデジタル映像情報ＤＰを再生することができない。
【０１６８】
さらに、本実施形態による再生装置５０によれば、これ以上複製禁止のデジタル映像情報ＤＰを再生するとき、デジタル映像情報ＤＰにスクランブルがかかっていないか、または、デジタル映像情報ＤＰに認証符号が付加されていない場合には、このデジタル映像情報ＤＰが記録装置１０によって記録されたものでないと認識し、このデジタル映像情報ＤＰを再生しない構成としたから、次のような効果を奏する。即ち、非準拠記録装置でデジタル映像情報ＤＰをＤＶＤに複製した者は、その複製したデジタル映像情報ＤＰを再生装置５０によって再生することができないため、デジタル映像情報ＤＰを複製したことによる利益を得ることができず、不便さを感じる。従って、非準拠記録装置または非準拠再生装置によって行われるデジタル映像情報ＤＰまたはアナログ映像情報ＡＰの無制限な複製を減少させることができる。
【０１６９】
例えば、図１２に示すように、▲１▼衛星方法システム２００から送信されたデジタル映像情報ＤＰを、衛星放送受信機３０１を介して非準拠記録装置３０２に取り込み、▲２▼このデジタル映像情報ＤＰまたは衛星放送受信機３０１によって変換されたアナログ映像情報ＡＰを非準拠記録装置３０２によってＤＶＤ３に記録し、▲３▼ＤＶＤ３に記録されたデジタル映像情報ＤＰを再生装置５０によって再生しようとしても、再生装置５０は、このデジタル映像情報ＤＰを再生しない。この結果、視聴者は、衛星放送システム２００から送信される映画を非準拠記録装置３０２を用いてＤＶＤ３に記録しても、それを再生装置５０で見ることはできない。
【０１７０】
さらに、本実施形態の記録装置１０および再生装置５０によれば、デジタル映像情報ＤＰ内に含まれる電子透かし、複製制限符号およびＣＧＭＳ等の間に矛盾がある場合には、デジタル映像情報ＤＰの記録または再生を禁止するので、不正に改竄された可能性があるデジタル映像情報ＤＰの記録、再生または複製を防止することができる。
【０１７１】
さらにまた、衛星放送受信機３０１によれば、衛星放送システム２００から受信したデジタル映像情報ＤＰに含まれる電子透かしの状態、および、衛星放送受信機３０１のデジタル出力端子に接続された外部装置の種別を判定し、この判定結果に基づいて、受信したデジタル映像情報ＤＰのデジタル出力を制限する構成としたから、図１２に示すように、１回複製許可のデジタル映像情報ＤＰがデジタルの状態のまま非準拠記録装置に出力され、デジタル映像情報ＤＰのデジタル伝送による複製が行われるのを防止できる。なお、１回複製許可のデジタル映像情報ＤＰは１回記録することが許されるが、１回複製許可のデジタル映像情報ＤＰであっても、非準拠記録装置によって記録されると、その後、このデジタル映像情報ＤＰの複製制限が適正に行われないことが考えられる。従って、１回複製許可のデジタル映像情報ＤＰであっても、非準拠記録装置による記録を禁止する。
【０１７２】
なお、上述した記録装置１０の記録制限制御および再生装置５０の再生制限制御において、電子透かしとＣＧＭＳとを入れ替えて判定を行うようにしてもよい。
【０１７３】
また、上述した実施形態では、電子透かし、複製制限符号およびＣＧＭＳの３種類の識別符号を用いて判定を行ったが、本発明はこれに限らず、例えば、電子透かしおよび複製制限符号の２種類の識別符号を用いて判定を行ってもよい。
【０１７４】
また、前記実施形態による再生装置５０の再生制限制御において、複製制限符号に基づく判定を行っていないが、本発明はこれに限らない。例えば、複製制限符号検出器６３によって変更される前の複製制限符号を再生コントローラ５６に取り込み、再生コントローラ５６によって複製制限符号が１回複製許可を表しているか否かを判定するようにしてもよい。
【０１７５】
また、上述した実施形態では、スクランブル解除器５５によって、デジタル映像情報ＤＰにスクランブルがかかっているか否かを直接検出することにより、デジタル映像情報ＤＰにスクランブルがかかっているか否かを判定する場合を例に挙げたが、本発明はこれに限らず、デジタル映像情報ＤＰに含まれる認証情報にスクランブル解除情報が付加されているか否かを判定することによって、デジタル映像情報ＤＰにスクランブルがかかっているか否かを認識するようにしてもよい。
【０１７６】
さらに、本実施形態による記録装置１０と再生装置５０は、互いに独立した装置であるので、記録装置１０と再生装置５０とを全く別の場所に配置することが可能である。ところが、本発明はこれに限らず、記録装置１０と再生装置５０を１つの筐体内に設けてもよい。さらに、記録装置１０および再生装置５０の各構成のうち共有することができる部分を共通化して、記録装置１０および再生装置５０を一体化してもよい。
【０１７７】
なお、記録装置１０のデジタル入力端子１１および１２は、入力手段の具体例である。記録コントローラ２０は、第１記録判定手段、第２記録判定手段、記録制御手段、および、暗号化制御手段の具体例である。記録器２６は記録手段の具体例である。スクランブル処理器２２は暗号化手段の具体例である。一方、再生装置５０の再生コントローラ５６は、第１再生判定手段、第２再生判定手段、出力制御手段、出力手段、および、変更制御手段の具体例である。再生器５１は、読出手段の具体例である。スクランブル解除器５５は複合化制御手段および複合化手段の具体例である。複製制限符号変更器６３は変更手段の具体例である。認証符号付加器２５は認証情報追加手段の具体例である。デジタル出力制御器５８および再生コントローラ５６は、接続先判定手段の具体例である。
【０１７８】
【発明の効果】
以上、詳述したとおり、請求項１ないし１６のいずれかに記載の記録再生システムによれば、記録装置は、１回複製許可の記録再生情報を記録媒体に暗号化して記録する。これにより、記録媒体に記録された１回複製許可の記録再生情報、即ち、これ以上複製禁止の記録再生情報が、複製制限機能を備えていない他の再生装置によって再生されるのを防止することができる。従って、この非準拠再生装置を起点として、記録媒体に記録された１回複製許可の記録再生情報、即ち、これ以上複製禁止の記録再生情報が複製されるのを防止することができる。
【０１７９】
また、当該記録再生システムの再生装置は、異常に複製された記録再生情報の外部への出力を禁止する。即ち、再生装置は、不正に複製された記録再生情報、または、複製制限機能を備えていない他の記録装置によって記録されたこれ以上複製禁止の記録再生情報を再生しない。これにより、異常な複製を行った者は、その複製した記録再生情報を再生装置によって再生することができないため、複製したことによる利益を得ることができず、不便さを感じる。この結果、複製制限機能を備えていない他の記録装置または再生装置によって行われる記録再生情報の無制限な複製を減少させることができる。
【０１８０】
さらに、当該記録再生システムの再生装置によれば、これ以上記録禁止の記録再生情報がさらに記録装置によって記録されるのを防止することができる。これにより、記録再生情報の複製を効果的に制限することができる。
【０１８１】
請求項４に記載の記録再生システムによれば、不正に複製された記録再生情報および改竄された記録再生情報の出力および再生を防止することができる。
【０１８３】
請求項７に記載の記録再生システムによれば、第１識別情報および第２識別情報が含まれた記録再生情報をアナログ信号として出力することができる。これにより、アナログ伝送による複製を制限することができる。
【０１８４】
請求項８に記載の記録再生システムによれば、アナログ信号の記録再生情報をアナログ出力部から外部に出力するときのみ、第２識別情報を複製禁止に変更するか否かを制御するので、処理を簡単化させることができる。
【０１８５】
請求項９に記載の記録再生システムによれば、複製禁止の記録再生情報、または、既に１回記録媒体に記録された１回複製許可の記録再生情報（これ以上記録禁止の記録再生情報）が、再生装置から認定装置以外の外部装置にデジタルの状態のまま伝送されるのを防止することができる。例えば、記録再生情報を記録する機能を備えていない装置を認定装置とすると、再生装置は、当該再生装置のデジタル出力部に接続された外部装置が、記録再生情報を記録する機能を備えていない装置か、記録再生情報を記録する機能を備えた装置かを判別することができる。これにより、複製禁止の記録再生情報、または、１回記録媒体に記録された１回複製許可の記録再生情報が、再生装置から、記録再生情報を記録する機能を備えた装置にデジタルの状態のまま伝送されるのを防止することができる。従って、複製禁止の記録再生情報、または、１回記録媒体に記録された１回複製許可の記録再生情報が、デジタル伝送によって複製されるのを防止することができる。
【０１８６】
請求項１０に記載の記録再生システムによれば、３種類の識別情報を用いて、不正な複製を目的とした記録再生情報の改竄を容易に発見することができ、改竄された記録再生情報の記録媒体への記録を確実に防止することができる。
【０１８７】
請求項１１に記載の記録再生システムによれば、３種類の識別情報を用いて、不正な複製を目的とした記録再生情報の改竄を容易に発見することができ、改竄された記録再生情報の出力および再生を確実に防止することができる。
【０１８８】
請求項１２に記載の記録再生システムによれば、情報発信源から受信した記録再生情報をデジタルの状態のまま記録装置に出力する受信装置であって、この受信装置に、受信した記録再生情報に含まれる第１識別情報の状態を判定し、および、当該受信装置に接続された記録装置が認定装置かを判定し、これらの判定結果に基づいて、記録装置への記録再生情報の出力をする否かを制御する受信情報出力制御手段を設けたから、認定装置を当該記録再生システムの記録装置に設定すれば、当該記録再生システムの記録装置以外の記録装置に複製禁止または１回複製許可の記録再生情報がデジタル伝送されるのを防止でき、複製制限機能を有していない記録装置による複製を防止することできる。
【０１９０】
請求項１８に記載の再生装置によれば、上述した請求項１に記載の記録再生システムの再生装置とほぼ同様の効果を得ることができる。
【０１９１】
請求項１９、２０または２１に記載の再生装置によれば、上述した請求項７、８または９に記載の記録再生システムの再生装置とほぼ同様の効果を得ることができる。
【図面の簡単な説明】
【図１】本発明の実施形態による記録再生システム等を示すブロック図である。
【図２】本発明の実施形態において、アナログ映像情報に対応するビデオ信号を示す波形図である。
【図３】本発明の実施形態において、視聴者が実際に見ることができる表示範囲、画像または映像の形成範囲および複製制限符号の埋込位置を示す説明図である。
【図４】本発明の実施形態において、衛星放送受信機のデジタル出力制御を示すフローチャートである。
【図５】本発明の実施形態において、衛星放送受信機による判定とデジタル出力制御との関係を示す図である。
【図６】本発明の実施形態による記録装置を示すブロック図である。
【図７】本発明の実施形態における記録制限制御を示すフローチャートである。
【図８】本発明の実施形態において、電子透かし、複製制限符号およびＣＧＭＳの状態と、これらの状態に対して記録コントローラが実行する制御との関係を示す図である。
【図９】本発明の実施形態による再生装置を示すブロック図である。
【図１０】本発明の実施形態における再生制限制御を示すフローチャートである。
【図１１】本発明の実施形態において、電子透かしおよびＣＧＭＳ等の状態と、これらの状態に対して再生コントローラが実行する制御との関係を示す図である。
【図１２】本発明の実施形態による記録再生システム、衛星放送システム、非準拠記録装置および非準拠再生装置等を示すブロック図である。
【符号の説明】
１，２，３  ＤＶＤ（記録媒体）
１０  記録装置
１６  ＣＧＭＳ−Ｄ検出器
１７  ＣＧＭＳ−Ａ検出器
１８  電子透かし検出器
１９  複製制限符号検出器
２０  記録コントローラ
２２  スクランブル処理器
２３  切換スイッチ
２５  認証符号付加器
２６  記録器
５０  再生装置
５１  再生器
５２  認証符号検出器
５４  ＣＧＭＳ−Ｄ検出器
５５  スクランブル解除器
５６  再生コントローラ
５７  切換スイッチ
５８  デジタル出力制御器
５９  デジタル出力端子
６１  電子透かし検出器
６３  複製制限符号検出器
６４  デジタル−アナログ変換器
６５  アナログ出力端子
１００  記録再生システム
３０１  衛星放送受信機
【図１】
0004208998.tif 000002
【図２】
0004208998.tif 000003
【図３】
0004208998.tif 000004
【図４】
0004208998.tif 000005
【図５】
0004208998.tif 000006
【図６】
0004208998.tif 000007
【図７】
0004208998.tif 000008
【図８】
0004208998.tif 000009
【図９】
0004208998.tif 000010
【図１０】
0004208998.tif 000011
【図１１】
0004208998.tif 000012
【図１２】
0004208998.tif 000013